(57)【要約】  本開示は、システム情報取得方法、ユーザ機器およびネットワーク側機器を提供する。当該方法において、ユーザ機器が、ネットワーク側機器から送信されるオンデマンドシステム情報の第１スケジューリング情報を受信することと、前記ユーザ機器が、前記ネットワーク側機器から送信されるオンデマンドシステム情報を、前記第１スケジューリング情報に基づいて取得することとを含む。【選択図】  図２
2019533375.tif 000002
【特許請求の範囲】
【請求項１】
ユーザ機器が、ネットワーク側機器から送信されるオンデマンドシステム情報の第１スケジューリング情報を受信することと、
前記ユーザ機器が、前記ネットワーク側機器から送信される前記オンデマンドシステム情報を、前記第１スケジューリング情報に基づいて取得することとを含むシステム情報取得方法。
【請求項２】
前記第１スケジューリング情報は、
前記第１スケジューリング情報に対応する前記オンデマンドシステム情報を示すシステム情報マッピングテーブル、システム情報周期、システム情報時間ウィンドウ、スタートポイントおよびシステム情報伝送回数のうち、１つまたは複数のパラメータ配置を含む請求項１に記載の方法。
【請求項３】
前記ユーザ機器が、ネットワーク側機器から送信されるオンデマンドシステム情報の第１スケジューリング情報を受信することは、
前記ユーザ機器が、前記ネットワーク側機器から周期的に放送されるシステム情報を受信することを含み、
前記周期的に放送されるシステム情報には、前記オンデマンドシステム情報の第１スケジューリング情報を含む請求項１に記載の方法。
【請求項４】
前記ユーザ機器が、前記ネットワーク側機器から送信される前記オンデマンドシステム情報を前記第１スケジューリング情報に基づいて取得することは、
前記第１スケジューリング情報には所定のパラメータ配置が含まれるのであれば、前記ユーザ機器が、前記ネットワーク側機器から送信される前記オンデマンドシステム情報を、前記第１スケジューリング情報に含まれるパラメータ配置を用いて受信すること、
または、
前記第１スケジューリング情報には所定のパラメータ配置が含まれ、かつ前記第１スケジューリング情報に対応するオンデマンドシステム情報には、前記ユーザ機器に必要なオンデマンドシステム情報が含まれるのであれば、前記ユーザ機器が、前記ネットワーク側機器から送信される前記オンデマンドシステム情報を、前記第１スケジューリング情報に含まれるパラメータ配置を用いて受信することを含む請求項１〜３のいずれか一項に記載の方法。
【請求項５】
前記ユーザ機器が、前記ネットワーク側機器から送信される前記オンデマンドシステム情報を前記第１スケジューリング情報に基づいて取得することは、
前記ユーザ機器が、前記第１スケジューリング情報に基づいて、前記ユーザ機器に必要なオンデマンドシステム情報を要求することに用いられるオンデマンドシステム情報要求メッセージの前記ネットワーク側機器への送信が必要であるかを特定することと、
前記オンデマンドシステム情報要求メッセージの前記ネットワーク側機器への送信が必要であると特定したのであれば、前記ユーザ機器が、前記オンデマンドシステム情報要求メッセージを前記ネットワーク側機器へ送信することと、
前記ユーザ機器が、前記ネットワーク側機器から送信されるオンデマンドシステム情報応答メッセージを受信することとを含む請求項１〜３のいずれか一項に記載の方法。
【請求項６】
前記ユーザ機器が、前記第１スケジューリング情報に基づいて、前記オンデマンドシステム情報要求メッセージの前記ネットワーク側機器への送信が必要であるかを特定することは、
前記ユーザ機器が、前記第１スケジューリング情報に対応するオンデマンドシステム情報には、前記ユーザ機器に必要なオンデマンドシステム情報が含まれるかを判断し、ＮＯであれば、前記オンデマンドシステム情報要求メッセージの前記ネットワーク側機器への送信が必要であると特定すること、
または、
前記ユーザ機器が、前記第１スケジューリング情報に含まれるパラメータ配置に第１部分パラメータ配置しか含まれないかを判断し、ＹＥＳであれば、前記オンデマンドシステム情報要求メッセージの前記ネットワーク側機器への送信が必要であると特定することを含む請求項５に記載の方法。
【請求項７】
前記ユーザ機器が、前記ネットワーク側機器から送信される前記オンデマンドシステム情報を前記第１スケジューリング情報に基づいて取得することは、さらに、
前記ユーザ機器が、前記ネットワーク側機器から送信されるシステム情報変更指示を受信することと、
前記ユーザ機器が、前記システム情報変更指示に基づいて、前記ネットワーク側機器から送信される前記オンデマンドシステム情報の第２スケジューリング情報を受信することとを含み、
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含み、
前記ユーザ機器が、前記ネットワーク側機器から送信されるオンデマンドシステム情報応答メッセージを受信することは、
前記ユーザ機器が、前記ネットワーク側機器から送信される前記オンデマンドシステム情報応答メッセージを、前記第２スケジューリング情報に含まれるパラメータ配置を用いて受信することを含む請求項５に記載の方法。
【請求項８】
前記ユーザ機器が、前記ネットワーク側機器から送信される前記オンデマンドシステム情報を前記第１スケジューリング情報に基づいて取得することは、さらに、
前記ユーザ機器が、前記ネットワーク側機器から送信される前記オンデマンドシステム情報の第３スケジューリング情報を受信することを含み、
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含み、
前記ユーザ機器が、前記ネットワーク側機器から送信されるオンデマンドシステム情報応答メッセージを受信することは、
前記ユーザ機器が、前記ネットワーク側機器から送信されるオンデマンドシステム情報応答メッセージを、前記第３スケジューリング情報に含まれるパラメータ配置を用いて受信することを含む請求項５に記載の方法。
【請求項９】
前記ユーザ機器が、前記ネットワーク側機器から送信される前記オンデマンドシステム情報を前記第１スケジューリング情報に基づいて取得することは、さらに、
前記ユーザ機器が、前記ネットワーク側機器から送信される前記オンデマンドシステム情報の第４スケジューリング情報を受信することを含み、
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含み、
前記ユーザ機器が、前記ネットワーク側機器から送信されるオンデマンドシステム情報応答メッセージを受信することは、
前記第１スケジューリング情報に含まれるパラメータ配置に第１部分パラメータ配置が含まれるのであれば、前記ユーザ機器が、前記ネットワーク側機器から送信される前記オンデマンドシステム情報応答メッセージを、前記第１部分パラメータ配置と前記第２部分パラメータ配置を用いて受信することを含む請求項６に記載の方法。
【請求項１０】
前記ユーザ機器が、前記ネットワーク側機器から送信される前記オンデマンドシステム情報を前記第１スケジューリング情報に基づいて取得することは、さらに、
前記ユーザ機器が、前記ネットワーク側機器から送信される伝送指示を受信することを含み、
ここで、前記伝送指示は、前記第１スケジューリング情報に基づいたシステム情報応答メッセージの送信を指示することに用いられ、
前記ユーザ機器が、前記ネットワーク側機器から送信されるオンデマンドシステム情報応答メッセージを受信することは、
前記ユーザ機器が、前記ネットワーク側機器から送信される前記オンデマンドシステム情報応答メッセージを、前記第１スケジューリング情報に含まれるパラメータ配置を用いて受信することを含む請求項５に記載の方法。
【請求項１１】
前記ネットワーク側機器によって変更されたオンデマンドシステム情報には、前記ユーザ機器に必要なオンデマンドシステム情報のすべてまたは一部が含まれないことを、前記ユーザ機器が前記システム情報変更指示に基づいて特定したのであれば、前記ユーザ機器が、オンデマンドシステム情報要求メッセージを再度送信することをさらに含む請求項７に記載の方法。
【請求項１２】
前記システム情報応答メッセージには、前記ユーザ機器に必要なオンデマンドシステム情報のすべてまたは一部が含まれないのであれば、前記ユーザ機器が、オンデマンドシステム情報要求メッセージを再度送信すること、
または、
前記ユーザ機器が、前記オンデマンドシステム情報応答メッセージを事前定義時間または事前設定時間内に受信しなかったのであれば、オンデマンドシステム情報要求メッセージを再度送信することをさらに含む請求項５に記載の方法。
【請求項１３】
前記ユーザ機器が、前記ネットワーク側機器によるオンデマンドシステム情報提供の指示情報を前記ネットワーク側機器から受信することと、
前記ユーザ機器が、前記ユーザ機器に必要なオンデマンドシステム情報を要求することに用いられるオンデマンドシステム情報要求メッセージを、前記指示情報に基づいて前記ネットワーク側機器に送信することとをさらに含み、
前記ユーザ機器が、ネットワーク側機器から送信されるオンデマンドシステム情報の第１スケジューリング情報を受信することは、
前記ユーザ機器が、ネットワーク側機器から送信される前記ユーザ機器に必要なオンデマンドシステム情報の第１スケジューリング情報を受信することを含み、
前記ユーザ機器が、前記ネットワーク側機器から送信される前記オンデマンドシステム情報を前記第１スケジューリング情報に基づいて取得することは、
前記ユーザ機器が、前記ネットワーク側機器から送信されるオンデマンドシステム情報応答メッセージを、前記第１スケジューリング情報に含まれるパラメータ配置を用いて受信することを含む請求項１〜３のいずれか一項に記載の方法。
【請求項１４】
前記指示情報は、前記ネットワーク側機器からオンデマンドシステム情報が提供されるかを指示することに用いられ、
または、
前記指示情報は、前記ネットワーク側機器から提供される前記オンデマンドシステム情報のシステム情報リストを含み、
前記ユーザ機器が、オンデマンドシステム情報要求メッセージを前記指示情報に基づいて前記ネットワーク側機器に送信することは、
前記指示情報によって、前記ネットワーク側機器からオンデマンドシステム情報が提供されると指示するのであれば、前記ユーザ機器が、前記オンデマンドシステム情報要求メッセージを前記ネットワーク側機器に送信すること、
または、
システム情報リストに指示されるオンデマンドシステム情報には、前記ユーザ機器に必要なオンデマンドシステム情報が含まれるのであれば、前記ユーザ機器が、前記オンデマンドシステム情報要求メッセージを前記ネットワーク側機器に送信することを含む請求項１３に記載の方法。
【請求項１５】
前記ユーザ機器が、前記オンデマンドシステム情報要求メッセージを前記ネットワーク側機器に送信することは、
前記ユーザ機器が、ランダムアクセスプロセスのメッセージＭｓｇ３によって、前記オンデマンドシステム情報要求メッセージを前記ネットワーク側機器に送信すること、
または、
前記ユーザ機器が、無線リソース制御ＲＲＣメッセージによって、前記オンデマンドシステム情報要求メッセージを前記ネットワーク側機器に送信すること、
または、
前記ユーザ機器が、メディアアクセス制御ＭＡＣ制御エレメントＣＥによって、前記オンデマンドシステム情報要求メッセージを前記ネットワーク側機器に送信することを含む請求項５に記載の方法。
【請求項１６】
前記ユーザ機器が、アップリンク信号とオンデマンドシステム情報とのマッピング関係情報を取得することをさらに含み、
前記ユーザ機器がオンデマンドシステム情報要求メッセージを前記ネットワーク側機器に送信することは、
前記ユーザ機器が、前記ユーザ機器に必要なオンデマンドシステム情報とはマッピング関係が存在する前記アップリンク信号を前記ネットワーク側機器に送信することを含む請求項５に記載の方法。
【請求項１７】
ネットワーク側機器が、ユーザ機器にオンデマンドシステム情報の第１スケジューリング情報を送信することと、
前記ネットワーク側機器が、前記ユーザ機器に前記オンデマンドシステム情報を送信することとを含むシステム情報取得方法。
【請求項１８】
前記第１スケジューリング情報は、
前記第１スケジューリング情報に対応する前記オンデマンドシステム情報を示すシステム情報マッピングテーブル、システム情報周期、システム情報時間ウィンドウ、スタートポイントおよびシステム情報伝送回数のうち、１つまたは複数のパラメータ配置を含む請求項１７に記載の方法。
【請求項１９】
前記ネットワーク側機器が、ユーザ機器にオンデマンドシステム情報の第１スケジューリング情報を送信することは、
ネットワーク側機器が、システム情報を周期的に放送することを含み、
前記周期的に放送されるシステム情報には、前記オンデマンドシステム情報の第１スケジューリング情報を含む請求項１７に記載の方法。
【請求項２０】
前記ネットワーク側機器が、前記ユーザ機器から送信されるオンデマンドシステム情報要求メッセージを受信することをさらに含み、
前記オンデマンドシステム情報要求メッセージは、前記ユーザ機器に必要な前記オンデマンドシステム情報を要求することに用いられ、
前記ネットワーク側機器が、前記ユーザ機器にオンデマンドシステム情報を送信することは、
前記ネットワーク側機器が、オンデマンドシステム情報応答メッセージを前記ユーザ機器に送信することを含む請求項１７〜１９のいずれか一項に記載の方法。
【請求項２１】
前記ネットワーク側機器が、システム情報変更指示を前記ユーザ機器に送信することと、
前記ネットワーク側機器が、前記オンデマンドシステム情報の第２スケジューリング情報を前記ユーザ機器に送信することとをさらに含み、
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含み、
前記ネットワーク側機器が、オンデマンドシステム情報応答メッセージを前記ユーザ機器に送信することは、
前記ネットワーク側機器が、前記第２スケジューリング情報に含まれるパラメータ配置に基づいて、前記オンデマンドシステム情報応答メッセージを前記ユーザ機器に送信することを含む請求項２０に記載の方法。
【請求項２２】
前記ネットワーク側機器が、前記オンデマンドシステム情報の第３スケジューリング情報を前記ユーザ機器に送信することをさらに含み、
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含み、
前記ネットワーク側機器が、オンデマンドシステム情報応答メッセージを前記ユーザ機器に送信することは、
前記ネットワーク側機器が、前記第３スケジューリング情報に含まれるパラメータ配置に基づいて、前記オンデマンドシステム情報応答メッセージを前記ユーザ機器に送信することを含む請求項２０に記載の方法。
【請求項２３】
前記第１スケジューリング情報に含まれるパラメータ配置に第１部分パラメータ配置しか含まれないのであれば、前記ネットワーク側機器が、前記オンデマンドシステム情報の第４スケジューリング情報を前記ユーザ機器に送信することをさらに含み、
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含み、
前記ネットワーク側機器が、オンデマンドシステム情報応答メッセージを前記ユーザ機器に送信することは、
前記ネットワーク側機器が、前記第１部分パラメータ配置と前記第２部分パラメータ配置に基づいて、前記オンデマンドシステム情報応答メッセージを前記ユーザ機器に送信することを含む請求項２０に記載の方法。
【請求項２４】
前記ネットワーク側機器が、前記第１スケジューリング情報に基づいたシステム情報応答メッセージの送信を指示することに用いられる伝送指示を前記ユーザ機器に送信することをさらに含み、
前記ネットワーク側機器が、オンデマンドシステム情報応答メッセージを前記ユーザ機器に送信することは、
前記ネットワーク側機器が、前記第１スケジューリング情報に含まれるパラメータ配置に基づいて、前記オンデマンドシステム情報応答メッセージを前記ユーザ機器に送信することを含む請求項２０に記載の方法。
【請求項２５】
前記ネットワーク側機器が、前記ネットワーク側機器によるオンデマンドシステム情報提供の指示情報を前記ユーザ機器に送信することと、
前記ネットワーク側機器が、前記ユーザ機器から前記指示情報に基づいて送信されるオンデマンドシステム情報要求メッセージを受信することをさらに含み、
ここで、前記オンデマンドシステム情報要求メッセージは、前記ユーザ機器に必要な前記オンデマンドシステム情報を要求することに用いられ、
前記ネットワーク側機器が、ユーザ機器にオンデマンドシステム情報の第１スケジューリング情報を送信することは、
前記ネットワーク側機器が、ユーザ機器に対し、前記ユーザ機器に必要な前記オンデマンドシステム情報の前記第１スケジューリング情報を送信することを含み、
前記ネットワーク側機器が、前記ユーザ機器にオンデマンドシステム情報を送信することは、
前記ネットワーク側機器が、前記第１スケジューリング情報に含まれるパラメータ配置に基づいて、前記オンデマンドシステム情報応答メッセージを前記ユーザ機器に送信することを含む請求項１７〜１９のいずれか一項に記載の方法。
【請求項２６】
前記指示情報は、前記ネットワーク側機器からオンデマンドシステム情報が提供されるかを指示することに用いられ、
または、
前記指示情報は、前記ネットワーク側機器から提供される前記オンデマンドシステム情報のシステム情報リストを含む請求項２５に記載の方法。
【請求項２７】
前記ネットワーク側機器が、ユーザ機器から送信されるオンデマンドシステム情報要求メッセージを受信することは、
前記ネットワーク側機器が、前記ユーザ機器からランダムアクセスプロセスのＭｓｇ３によって送信される前記オンデマンドシステム情報要求メッセージを受信すること、
または、
前記ネットワーク側機器が、前記ユーザ機器からＲＲＣメッセージによって送信される前記オンデマンドシステム情報要求メッセージを受信すること、
または、
前記ネットワーク側機器が、前記ユーザ機器からＭＡＣ  ＣＥによって送信される前記オンデマンドシステム情報要求メッセージを受信することを含む請求項２０に記載の方法。
【請求項２８】
前記ネットワーク側機器が、アップリンク信号とオンデマンドシステム情報とのマッピング関係情報を前記ユーザ機器に送信することをさらに含み、
前記ネットワーク側機器が、ユーザ機器から送信されるオンデマンドシステム情報要求メッセージを受信することは、
前記ネットワーク側機器が、前記ユーザ機器に必要なオンデマンドシステム情報とはマッピング関係が存在するアップリンク信号を前記ユーザ機器から受信することを含む請求項２０に記載の方法。
【請求項２９】
ネットワーク側機器から送信されるオンデマンドシステム情報の第１スケジューリング情報を受信することに用いられる第１受信モジュールと、
前記ネットワーク側機器から送信される前記オンデマンドシステム情報を、前記第１スケジューリング情報に基づいて取得することに用いられる第１取得モジュールとを含むユーザ機器。
【請求項３０】
前記第１スケジューリング情報は、
前記第１スケジューリング情報に対応する前記オンデマンドシステム情報を示すシステム情報マッピングテーブル、システム情報周期、システム情報時間ウィンドウ、スタートポイントおよびシステム情報伝送回数のうち、１つまたは複数のパラメータ配置を含む請求項２９に記載のユーザ機器。
【請求項３１】
前記第１受信モジュールは、
前記ネットワーク側機器から周期的に放送されるシステム情報を受信することに用いられ、
前記周期的に放送されるシステム情報には、オンデマンドシステム情報の第１スケジューリング情報を含む請求項２９に記載のユーザ機器。
【請求項３２】
前記第１取得モジュールは、
前記第１スケジューリング情報には所定のパラメータ配置が含まれるのであれば、前記ネットワーク側機器から送信されるオンデマンドシステム情報を、前記第１スケジューリング情報に含まれるパラメータ配置を用いて受信すること、
または、
前記第１スケジューリング情報には所定のパラメータ配置が含まれ、かつ前記第１スケジューリング情報に対応するオンデマンドシステム情報には、前記ユーザ機器に必要なオンデマンドシステム情報が含まれるのであれば、前記ネットワーク側機器から送信される前記オンデマンドシステム情報を、前記第１スケジューリング情報に含まれるパラメータ配置を用いて受信することに用いられる請求項２９〜３１のいずれか一項に記載のユーザ機器。
【請求項３３】
前記第１取得モジュールは、
前記第１スケジューリング情報に基づいて、前記ユーザ機器に必要なオンデマンドシステム情報を要求することに用いられるオンデマンドシステム情報要求メッセージの前記ネットワーク側機器への送信が必要であるかを特定することに用いられる特定ユニットと、
オンデマンドシステム情報要求メッセージの前記ネットワーク側機器への送信が必要であると特定されたのであれば、前記オンデマンドシステム情報要求メッセージを前記ネットワーク側機器へ送信することに用いられる送信ユニットと、
前記ネットワーク側機器から送信されるオンデマンドシステム情報応答メッセージを受信することに用いられる第１受信ユニットとを含む請求項２９〜３１のいずれか一項に記載のユーザ機器。
【請求項３４】
前記特定ユニットは、
前記第１スケジューリング情報に対応するオンデマンドシステム情報には、前記ユーザ機器に必要な前記オンデマンドシステム情報が含まれるかを判断し、ＮＯであれば、前記オンデマンドシステム情報要求メッセージの前記ネットワーク側機器への送信が必要であると特定すること、
または、
前記第１スケジューリング情報に含まれるパラメータ配置に第１部分パラメータ配置しか含まれないかを判断し、ＹＥＳであれば、前記オンデマンドシステム情報要求メッセージの前記ネットワーク側機器への送信が必要であると特定することに用いられる請求項３３に記載のユーザ機器。
【請求項３５】
前記第１取得モジュールは、さらに、
前記ネットワーク側機器から送信されるシステム情報変更指示を受信することに用いられる第２受信ユニットと、
前記システム情報変更指示に基づいて、前記ネットワーク側機器から送信されるオンデマンドシステム情報の第２スケジューリング情報を受信することに用いられる第３受信ユニットとを含み、
ここで、前記第２スケジューリング情報に対応する前記オンデマンドシステム情報には、前記ユーザ機器に必要なオンデマンドシステム情報を含み、かつ前記第２スケジューリング情報は、所定のパラメータ配置を含み、
前記第１受信ユニットは、
前記ネットワーク側機器から送信される前記オンデマンドシステム情報応答メッセージを、前記第２スケジューリング情報に含まれるパラメータ配置を用いて受信することに用いられる請求項３３に記載のユーザ機器。
【請求項３６】
前記第１取得モジュールは、さらに、
前記ネットワーク側機器から送信されるオンデマンドシステム情報の第３スケジューリング情報を受信することに用いられる第４受信ユニットを含み、
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含み、
前記第１受信ユニットは、
前記ネットワーク側機器から送信される前記オンデマンドシステム情報応答メッセージを、前記第３スケジューリング情報に含まれるパラメータ配置を用いて受信することに用いられる請求項３３に記載のユーザ機器。
【請求項３７】
前記第１取得モジュールは、さらに、
前記ネットワーク側機器から送信されるオンデマンドシステム情報の第４スケジューリング情報を受信することに用いられる第５受信ユニットを含み、
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含み、
前記第１受信ユニットは、
前記第１スケジューリング情報に含まれるパラメータ配置に第１部分パラメータ配置が含まれるのであれば、前記ネットワーク側機器から送信される前記オンデマンドシステム情報応答メッセージを、前記第１部分パラメータ配置と前記第２部分パラメータ配置を用いて受信することに用いられる請求項３４に記載のユーザ機器。
【請求項３８】
前記第１取得モジュールは、さらに、
前記ネットワーク側機器から送信される伝送指示を受信することに用いられる第６受信ユニットを含み、
ここで、前記伝送指示は、前記第１スケジューリング情報に基づいたシステム情報応答メッセージの送信を指示することに用いられ、
前記第１受信ユニットは、
前記ネットワーク側機器から送信される前記オンデマンドシステム情報応答メッセージを、前記第１スケジューリング情報に含まれるパラメータ配置を用いて受信することに用いられる請求項３３に記載のユーザ機器。
【請求項３９】
前記送信ユニットは、さらに、
前記ネットワーク側機器によって変更されたオンデマンドシステム情報には、前記ユーザ機器に必要なオンデマンドシステム情報のすべてまたは一部が含まれないことを、前記ユーザ機器が前記システム情報変更指示に基づいて特定したのであれば、オンデマンドシステム情報要求メッセージを再度送信することに用いられる請求項３５に記載のユーザ機器。
【請求項４０】
前記送信ユニットは、さらに、
前記システム情報応答メッセージには、前記ユーザ機器に必要なオンデマンドシステム情報のすべてまたは一部が含まれないのであれば、オンデマンドシステム情報要求メッセージを再度送信すること、
または、
前記第１受信ユニットが前記オンデマンドシステム情報応答メッセージを事前定義時間または事前設定時間内に受信しなかったのであれば、オンデマンドシステム情報要求メッセージを再度送信することに用いられる請求項３３に記載のユーザ機器。
【請求項４１】
前記ネットワーク側機器によるオンデマンドシステム情報提供の指示情報を前記ネットワーク側機器から受信することに用いられる第２受信モジュールと、
前記ユーザ機器に必要なオンデマンドシステム情報を要求することに用いられるオンデマンドシステム情報要求メッセージを、前記指示情報に基づいて前記ネットワーク側機器に送信することに用いられる送信モジュールとをさらに含み、
前記第１受信モジュールは、
前記ネットワーク側機器から送信される前記ユーザ機器に必要な前記オンデマンドシステム情報の第１スケジューリング情報を受信することに用いられ、
前記第１取得モジュールは、
前記ネットワーク側機器から送信されるオンデマンドシステム情報応答メッセージを、前記第１スケジューリング情報に含まれるパラメータ配置を用いて受信することに用いられる請求項２９〜３２のいずれか一項に記載のユーザ機器。
【請求項４２】
前記指示情報は、前記ネットワーク側機器からオンデマンドシステム情報が提供されるかを指示することに用いられ、
または、
前記指示情報は、前記ネットワーク側機器から提供される前記オンデマンドシステム情報のシステム情報リストを含み、
前記送信モジュールは、
前記指示情報によって、前記ネットワーク側機器からオンデマンドシステム情報が提供されると指示するのであれば、オンデマンドシステム情報要求メッセージを前記ネットワーク側機器に送信すること、
または、
前記システム情報リストに指示されるオンデマンドシステム情報には、前記ユーザ機器に必要なオンデマンドシステム情報が含まれるのであれば、前記オンデマンドシステム情報要求メッセージを前記ネットワーク側機器に送信することに用いられる請求項４１に記載のユーザ機器。
【請求項４３】
前記送信ユニットは、
ランダムアクセスプロセスのＭｓｇ３によって、前記オンデマンドシステム情報要求メッセージを前記ネットワーク側機器に送信すること、
または、
ＲＲＣメッセージによって、前記オンデマンドシステム情報要求メッセージを前記ネットワーク側機器に送信すること、
または、
ＭＡＣ  ＣＥによって、前記オンデマンドシステム情報要求メッセージを前記ネットワーク側機器に送信することに用いられる請求項３３に記載のユーザ機器。
【請求項４４】
アップリンク信号とオンデマンドシステム情報とのマッピング関係情報を取得することに用いられる第２取得モジュールをさらに含み、
前記送信ユニットは、
前記ユーザ機器に必要なオンデマンドシステム情報とはマッピング関係が存在する前記アップリンク信号を前記ネットワーク側機器に送信することに用いられる請求項３３に記載のユーザ機器。
【請求項４５】
ユーザ機器にオンデマンドシステム情報の第１スケジューリング情報を送信することに用いられる第１送信モジュールと、
前記ユーザ機器に前記オンデマンドシステム情報を送信することに用いられる第２送信モジュールとを含むネットワーク側機器。
【請求項４６】
前記第１スケジューリング情報は、
前記第１スケジューリング情報に対応する前記オンデマンドシステム情報を示すシステム情報マッピングテーブル、システム情報周期、システム情報時間ウィンドウ、スタートポイントおよびシステム情報伝送回数のうち、１つまたは複数のパラメータ配置を含む請求項４５に記載のネットワーク側機器。
【請求項４７】
前記第１送信モジュールは、
システム情報を周期的に放送することに用いられ、
前記周期的に放送されるシステム情報には、前記オンデマンドシステム情報の第１スケジューリング情報を含む請求項４５に記載のネットワーク側機器。
【請求項４８】
前記ユーザ機器から送信されるオンデマンドシステム情報要求メッセージを受信することに用いられる第１受信モジュールをさらに含み、
前記オンデマンドシステム情報要求メッセージは、前記ユーザ機器に必要な前記オンデマンドシステム情報を要求することに用いられ、
前記第２送信モジュールは、
オンデマンドシステム情報応答メッセージを前記ユーザ機器に送信することに用いられる請求項４５〜４７のいずれか一項に記載のネットワーク側機器。
【請求項４９】
システム情報変更指示を前記ユーザ機器に送信することに用いられる第３送信モジュールと、
オンデマンドシステム情報の第２スケジューリング情報を前記ユーザ機器に送信することに用いられる第４送信モジュールとをさらに含み、
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含み、
前記第２送信モジュールは、
前記第２スケジューリング情報に含まれるパラメータ配置に基づいて、前記オンデマンドシステム情報応答メッセージを前記ユーザ機器に送信することに用いられる請求項４８に記載のネットワーク側機器。
【請求項５０】
前記オンデマンドシステム情報の第３スケジューリング情報を前記ユーザ機器に送信することに用いられる第５送信モジュールをさらに含み、
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含み、
前記第２送信モジュールは、
前記第３スケジューリング情報に含まれるパラメータ配置に基づいて、オンデマンドシステム情報応答メッセージを前記ユーザ機器に送信することに用いられる請求項４８に記載のネットワーク側機器。
【請求項５１】
前記第１スケジューリング情報に含まれるパラメータ配置に第１部分パラメータ配置しか含まれないのであれば、オンデマンドシステム情報の第４スケジューリング情報を前記ユーザ機器に送信することに用いられる第６送信モジュールをさらに含み、
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含み、
前記第２送信モジュールは、
前記第１部分パラメータ配置と前記第２部分パラメータ配置に基づいて、前記オンデマンドシステム情報応答メッセージを前記ユーザ機器に送信することに用いられる請求項４８に記載のネットワーク側機器。
【請求項５２】
前記第１スケジューリング情報に基づいたシステム情報応答メッセージの送信を指示することに用いられる伝送指示を前記ユーザ機器に送信することに用いられる第７送信モジュールをさらに含み、
前記第２送信モジュールは、
前記第１スケジューリング情報に含まれるパラメータ配置に基づいて、前記オンデマンドシステム情報応答メッセージを前記ユーザ機器に送信することに用いられる請求項４８に記載のネットワーク側機器。
【請求項５３】
前記ネットワーク側機器によるオンデマンドシステム情報提供の指示情報を前記ユーザ機器に送信することに用いられる第８送信モジュールと、
前記ユーザ機器から前記指示情報に基づいて送信されるオンデマンドシステム情報要求メッセージを受信することに用いられる第２受信モジュールをさらに含み、
ここで、前記オンデマンドシステム情報要求メッセージは、前記ユーザ機器に必要な前記オンデマンドシステム情報を要求することに用いられ、
前記第１送信モジュールは、
ユーザ機器に対し、前記ユーザ機器に必要なオンデマンドシステム情報の第１スケジューリング情報を送信することに用いられ、
前記第２送信モジュールは、
前記第１スケジューリング情報に含まれるパラメータ配置に基づいて、オンデマンドシステム情報応答メッセージを前記ユーザ機器に送信することに用いられる請求項４５〜４７のいずれか一項に記載のネットワーク側機器。
【請求項５４】
前記指示情報は、前記ネットワーク側機器からオンデマンドシステム情報が提供されるかを指示することに用いられ、
または、
前記指示情報は、前記ネットワーク側機器から提供される前記オンデマンドシステム情報のシステム情報リストを含む請求項５３に記載のネットワーク側機器。
【請求項５５】
前記第１受信モジュールは、
前記ユーザ機器からランダムアクセスプロセスのＭｓｇ３によって送信される前記オンデマンドシステム情報要求メッセージを受信すること、
または、
前記ユーザ機器からＲＲＣメッセージによって送信される前記オンデマンドシステム情報要求メッセージを受信すること、
または、
前記ユーザ機器からＭＡＣ  ＣＥによって送信される前記オンデマンドシステム情報要求メッセージを受信することに用いられる請求項４８に記載のネットワーク側機器。
【請求項５６】
アップリンク信号とオンデマンドシステム情報とのマッピング関係情報を前記ユーザ機器に送信することに用いられる第９送信モジュールをさらに含み、
前記第１受信モジュールは、
前記ユーザ機器に必要なオンデマンドシステム情報とはマッピング関係が存在するアップリンク信号を前記ユーザ機器から受信することに用いられる請求項４８に記載のネットワーク側機器。
【請求項５７】
トランシーバと、プロセッサと、前記プロセッサによる操作実行に用いられるプログラムまたはデータを記憶することに用いられるメモリとを含むユーザ機器において、
前記トランシーバは、
ネットワーク側機器から送信されるオンデマンドシステム情報の第１スケジューリング情報を受信することに用いられ、
前記プロセッサは、
前記トランシーバで、前記ネットワーク側機器から送信される前記オンデマンドシステム情報を前記第１スケジューリング情報に基づいて取得することに用いられるユーザ機器。
【請求項５８】
トランシーバと、プロセッサと、前記プロセッサによる操作実行に用いられるプログラムまたはデータを記憶することに用いられるメモリとを含むネットワーク側機器において、
前記プロセッサは、
前記トランシーバで、ユーザ機器に前記第１スケジューリング情報を送信することと、前記ユーザ機器に前記オンデマンドシステム情報を送信することとに用いられるネットワーク側機器。
【請求項５９】
ネットワーク側機器から送信されるオンデマンドシステム情報の第１スケジューリング情報を受信するステップと、
前記ネットワーク側機器から送信される前記オンデマンドシステム情報を、前記第１スケジューリング情報に基づいて取得するステップとを実現させる指令が格納されているコンピュータ読み取り可能な記憶媒体。
【請求項６０】
ユーザ機器にオンデマンドシステム情報の第１スケジューリング情報を送信するステップと、
前記ユーザ機器に前記オンデマンドシステム情報を送信するステップとを実現させる指令が格納されているコンピュータ読み取り可能な記憶媒体。
【発明の詳細な説明】
【技術分野】
【０００１】
本願は、２０１６年１１月４日に中国特許庁に提出された中国特許出願２０１６１０９６５７０７．５の優先権を主張し、その全ての内容が援用によりここに取り込まれる。
本開示は、通信技術分野に係り、特にシステム情報取得方法、ユーザ機器およびネットワーク側機器に係る。
【背景技術】
【０００２】
無線通信システムのシステム情報ＳＩ（Ｓｙｓｔｅｍ  Ｉｎｆｏｒｍａｔｉｏｎ）は、主にマスタ情報ブロックＭＩＢ（Ｍａｓｔｅｒ  Ｉｎｆｏｒｍａｔｉｏｎ  Ｂｌｏｃｋ）と複数のシステム情報ブロックＳＩＢｓ（Ｓｙｓｔｅｍ  Ｉｎｆｏｒｍａｔｉｏｎ  Ｂｌｏｃｋｓ）に分けられ、システム情報ブロックにＳＩＢ１〜ＳＩＢ２０のシステム情報が含まれる。実際の応用の多くのシーンでは、システム情報の放送が必要である。例えば、ＵＥが新たに１つのセルにアクセスしまたは放送メッセージに変化が生じると、システム情報が放送される。現在、毎回の放送では、すべてのシステム情報が放送され、すなわちＭＩＢ、ＳＩＢ１、および、ＳＩＢ２〜ＳＩＢ２０が含まれるＳＩのシステム情報が含まれるが、もちろん、それ以上の拡張も可能である。現在の無線通信システムではシステム情報が周期的に放送され、かつ無線通信システムのサービス多様化および端末の種類が進化し続けるにつれてシステム情報の内容がますます多くなるため、システム情報のオーバーヘッドは、ますます大きくなる。現在の無線通信システムでは、システム情報のオーバーヘッドが過大であるという問題が存在することが分かる。
【発明の概要】
【発明が解決しようとする課題】
【０００３】
本開示は、無線通信システムにおけるシステム情報のオーバーヘッドが過大であるという問題を解決したシステム情報取得方法、ユーザ機器およびネットワーク側機器を提供することを目的とする。
【課題を解決するための手段】
【０００４】
上記目的を達成するために、本開示の実施例は、システム情報取得方法を提供する。
当該方法において、ユーザ機器が、ネットワーク側機器から送信されるオンデマンドシステム情報（ｏｎ−ｄｅｍａｎｄ  ＳＩ）の第１スケジューリング情報を受信することと、
前記ユーザ機器が、前記ネットワーク側機器から送信されるオンデマンドシステム情報を、前記第１スケジューリング情報に基づいて取得することとを含む。
【０００５】
選択可能に、前記第１スケジューリング情報は、
前記第１スケジューリング情報に対応するオンデマンドシステム情報を示すシステム情報マッピングテーブル、システム情報周期、システム情報時間ウィンドウ、スタートポイントおよびシステム情報伝送回数のうち、１つまたは複数のパラメータ配置を含む。
【０００６】
選択可能に、前記ユーザ機器が、ネットワーク側機器から送信されるオンデマンドシステム情報の第１スケジューリング情報を受信することは、
前記ユーザ機器が、前記ネットワーク側機器から周期的に放送されるシステム情報を受信することを含み、
前記周期的に放送されるシステム情報には、オンデマンドシステム情報の第１スケジューリング情報を含む。
【０００７】
選択可能に、前記ユーザ機器が、前記ネットワーク側機器から送信されるオンデマンドシステム情報を前記第１スケジューリング情報に基づいて取得することは、
前記第１スケジューリング情報には所定のパラメータ配置が含まれるのであれば、前記ユーザ機器が、前記ネットワーク側機器から送信されるオンデマンドシステム情報を、前記第１スケジューリング情報に含まれるパラメータ配置を用いて受信すること、
または、
前記第１スケジューリング情報には所定のパラメータ配置が含まれ、かつ前記第１スケジューリング情報に対応するオンデマンドシステム情報には、前記ユーザ機器に必要なオンデマンドシステム情報が含まれるのであれば、前記ユーザ機器が、前記ネットワーク側機器から送信されるオンデマンドシステム情報を、前記第１スケジューリング情報に含まれるパラメータ配置を用いて受信することを含む。
【０００８】
選択可能に、前記ユーザ機器が、前記ネットワーク側機器から送信されるオンデマンドシステム情報を前記第１スケジューリング情報に基づいて取得することは、
前記ユーザ機器が、前記第１スケジューリング情報に基づいて、前記ユーザ機器に必要なオンデマンドシステム情報を要求することに用いられるオンデマンドシステム情報要求メッセージの前記ネットワーク側機器への送信が必要であるかを特定することと、
オンデマンドシステム情報要求メッセージの前記ネットワーク側機器への送信が必要であると特定したのであれば、前記ユーザ機器が、オンデマンドシステム情報要求メッセージを前記ネットワーク側機器へ送信することと、
前記ユーザ機器が、前記ネットワーク側機器から送信されるオンデマンドシステム情報応答メッセージを受信することとを含む。
【０００９】
選択可能に、前記ユーザ機器が、前記第１スケジューリング情報に基づいて、オンデマンドシステム情報要求メッセージの前記ネットワーク側機器への送信が必要であるかを特定することは、
前記ユーザ機器が、前記第１スケジューリング情報に対応するオンデマンドシステム情報には、前記ユーザ機器に必要なオンデマンドシステム情報が含まれるかを判断し、ＮＯであれば、オンデマンドシステム情報要求メッセージの前記ネットワーク側機器への送信が必要であると特定すること、
または、
前記ユーザ機器が、前記第１スケジューリング情報に含まれるパラメータ配置に第１部分パラメータ配置しか含まれないかを判断し、ＹＥＳであれば、オンデマンドシステム情報要求メッセージの前記ネットワーク側機器への送信が必要であると特定することを含む。
【００１０】
選択可能に、前記ユーザ機器が、前記ネットワーク側機器から送信されるオンデマンドシステム情報を前記第１スケジューリング情報に基づいて取得することは、さらに、
前記ユーザ機器が、前記ネットワーク側機器から送信されるシステム情報変更指示を受信することと、
前記ユーザ機器が、前記システム情報変更指示に基づいて、前記ネットワーク側機器から送信されるオンデマンドシステム情報の第２スケジューリング情報を受信することとを含み、
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含み、
前記ユーザ機器が、前記ネットワーク側機器から送信されるオンデマンドシステム情報応答メッセージを受信することは、
前記ユーザ機器が、前記ネットワーク側機器から送信されるオンデマンドシステム情報応答メッセージを、前記第２スケジューリング情報に含まれるパラメータ配置を用いて受信することを含む。
【００１１】
選択可能に、前記ユーザ機器が、前記ネットワーク側機器から送信されるオンデマンドシステム情報を前記第１スケジューリング情報に基づいて取得することは、さらに、
前記ユーザ機器が、前記ネットワーク側機器から送信されるオンデマンドシステム情報の第３スケジューリング情報を受信することを含み、
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含み、
前記ユーザ機器が、前記ネットワーク側機器から送信されるオンデマンドシステム情報応答メッセージを受信することは、
前記ユーザ機器が、前記ネットワーク側機器から送信されるオンデマンドシステム情報応答メッセージを、前記第３スケジューリング情報に含まれるパラメータ配置を用いて受信することを含む。
【００１２】
選択可能に、前記ユーザ機器が、前記ネットワーク側機器から送信されるオンデマンドシステム情報を前記第１スケジューリング情報に基づいて取得することは、さらに、
前記ユーザ機器が、前記ネットワーク側機器から送信されるオンデマンドシステム情報の第４スケジューリング情報を受信することを含み、
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含み、
前記ユーザ機器が、前記ネットワーク側機器から送信されるオンデマンドシステム情報応答メッセージを受信することは、
前記第１スケジューリング情報に含まれるパラメータ配置に第１部分パラメータ配置が含まれるのであれば、前記ユーザ機器が、前記ネットワーク側機器から送信されるオンデマンドシステム情報応答メッセージを、前記第１部分パラメータ配置と前記第２部分パラメータ配置を用いて受信することを含む。
【００１３】
選択可能に、前記ユーザ機器が、前記ネットワーク側機器から送信されるオンデマンドシステム情報を前記第１スケジューリング情報に基づいて取得することは、さらに、
前記ユーザ機器が、前記ネットワーク側機器から送信される伝送指示を受信することを含み、
ここで、前記伝送指示は、前記第１スケジューリング情報に基づいたシステム情報応答メッセージの送信を指示することに用いられ、
前記ユーザ機器が、前記ネットワーク側機器から送信されるオンデマンドシステム情報応答メッセージを受信することは、
前記ユーザ機器が、前記ネットワーク側機器から送信されるオンデマンドシステム情報応答メッセージを、前記第１スケジューリング情報に含まれるパラメータ配置を用いて受信することを含む。
【００１４】
選択可能に、前記方法において、前記ネットワーク側機器によって変更されたオンデマンドシステム情報には、前記ユーザ機器に必要なオンデマンドシステム情報のすべてまたは一部が含まれないことを、前記ユーザ機器が前記システム情報変更指示に基づいて特定したのであれば、前記ユーザ機器が、オンデマンドシステム情報要求メッセージを再度送信することをさらに含む。
【００１５】
選択可能に、前記方法において、前記システム情報応答メッセージには、前記ユーザ機器に必要なオンデマンドシステム情報のすべてまたは一部が含まれないのであれば、前記ユーザ機器が、オンデマンドシステム情報要求メッセージを再度送信すること、
または、
前記ユーザ機器が、前記システム情報応答メッセージを事前定義時間または事前設定時間内に受信しなかったのであれば、オンデマンドシステム情報要求メッセージを再度送信することをさらに含む。
【００１６】
選択可能に、前記方法において、前記ユーザ機器が、前記ネットワーク側機器によるオンデマンドシステム情報提供の指示情報を前記ネットワーク側機器から受信することと、
前記ユーザ機器が、前記ユーザ機器に必要なオンデマンドシステム情報を要求することに用いられるオンデマンドシステム情報要求メッセージを、前記指示情報に基づいて前記ネットワーク側機器に送信することとをさらに含み、
前記ユーザ機器が、ネットワーク側機器から送信されるオンデマンドシステム情報の第１スケジューリング情報を受信することは、
前記ユーザ機器が、ネットワーク側機器から送信される前記ユーザ機器に必要なオンデマンドシステム情報の第１スケジューリング情報を受信することを含み、
前記ユーザ機器が、前記ネットワーク側機器から送信されるオンデマンドシステム情報を前記第１スケジューリング情報に基づいて取得することは、
前記ユーザ機器が、前記ネットワーク側機器から送信されるオンデマンドシステム情報応答メッセージを、前記第１スケジューリング情報に含まれるパラメータ配置を用いて受信することを含む。
【００１７】
選択可能に、前記指示情報は、前記ネットワーク側機器からオンデマンドシステム情報が提供されるかを指示することに用いられ、
または、
前記指示情報は、前記ネットワーク側機器から提供されるオンデマンドシステム情報のシステム情報リストを含み、
前記ユーザ機器が、前記指示情報に基づいて前記ネットワーク側機器にオンデマンドシステム情報要求メッセージを送信することは、
前記指示情報によって、前記ネットワーク側機器からオンデマンドシステム情報が提供されると指示するのであれば、前記ユーザ機器が、オンデマンドシステム情報要求メッセージを前記ネットワーク側機器に送信すること、
または、
システム情報リストに指示されるオンデマンドシステム情報には、前記ユーザ機器に必要なオンデマンドシステム情報が含まれるのであれば、前記ユーザ機器が、オンデマンドシステム情報要求メッセージを前記ネットワーク側機器に送信することを含む。
【００１８】
選択可能に、前記ユーザ機器が、オンデマンドシステム情報要求メッセージを前記ネットワーク側機器に送信することは、
前記ユーザ機器が、ランダムアクセスプロセスのメッセージ３（Ｍｓｇ３）によって、オンデマンドシステム情報要求メッセージを前記ネットワーク側機器に送信すること、
または、
前記ユーザ機器が、無線リソース制御ＲＲＣ（Ｒａｄｉｏ  Ｒｅｓｏｕｒｃｅ  Ｃｏｎｔｒｏｌ）メッセージによって、オンデマンドシステム情報要求メッセージを前記ネットワーク側機器に送信すること、
または、
前記ユーザ機器が、メディアアクセス制御ＭＡＣ（Ｍｅｄｉｕｍ  Ａｃｃｅｓｓ  Ｃｏｎｔｒｏｌ）制御エレメントＣＥ（Ｃｏｎｔｒｏｌ  Ｅｌｅｍｅｎｔ）によって、オンデマンドシステム情報要求メッセージを前記ネットワーク側機器に送信することを含む。
【００１９】
選択可能に、前記方法において、前記ユーザ機器が、アップリンク信号とオンデマンドシステム情報とのマッピング関係情報を取得することをさらに含み、
前記ユーザ機器がオンデマンドシステム情報要求メッセージを前記ネットワーク側機器に送信することは、
前記ユーザ機器が、前記ユーザ機器に必要なオンデマンドシステム情報とはマッピング関係が存在するアップリンク信号を前記ネットワーク側機器に送信することを含む。
【００２０】
本開示の実施例は、さらに、システム情報取得方法を提供する。
当該方法において、ネットワーク側機器が、ユーザ機器にオンデマンドシステム情報の第１スケジューリング情報を送信することと、
前記ネットワーク側機器が、前記ユーザ機器にオンデマンドシステム情報を送信することとを含む。
【００２１】
選択可能に、前記第１スケジューリング情報は、
前記第１スケジューリング情報に対応する前記オンデマンドシステム情報を示すシステム情報マッピングテーブル、システム情報周期、システム情報時間ウィンドウ、スタートポイントおよびシステム情報伝送回数のうち、１つまたは複数のパラメータ配置を含む。
【００２２】
選択可能に、前記ネットワーク側機器が、ユーザ機器にオンデマンドシステム情報の第１スケジューリング情報を送信することは、
ネットワーク側機器が、システム情報を周期的に放送することを含み、
前記周期的に放送されるシステム情報には、前記オンデマンドシステム情報の第１スケジューリング情報を含む。
【００２３】
選択可能に、前記方法において、前記ネットワーク側機器が、前記ユーザ機器から送信されるオンデマンドシステム情報要求メッセージを受信することをさらに含み、
前記オンデマンドシステム情報要求メッセージは、前記ユーザ機器に必要な前記オンデマンドシステム情報を要求することに用いられ、
前記ネットワーク側機器が、前記ユーザ機器にオンデマンドシステム情報を送信することは、
前記ネットワーク側機器が、オンデマンドシステム情報応答メッセージを前記ユーザ機器に送信することを含む。
【００２４】
選択可能に、前記方法において、前記ネットワーク側機器が、システム情報変更指示を前記ユーザ機器に送信することと、
前記ネットワーク側機器が、前記オンデマンドシステム情報の第２スケジューリング情報を前記ユーザ機器に送信することとをさらに含み、
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含み、
前記ネットワーク側機器が、オンデマンドシステム情報応答メッセージを前記ユーザ機器に送信することは、
前記ネットワーク側機器が、前記第２スケジューリング情報に含まれるパラメータ配置に基づいて、前記オンデマンドシステム情報応答メッセージを前記ユーザ機器に送信することを含む。
【００２５】
選択可能に、前記方法において、前記ネットワーク側機器が、前記オンデマンドシステム情報の第３スケジューリング情報を前記ユーザ機器に送信することをさらに含み、
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含み、
前記ネットワーク側機器が、オンデマンドシステム情報応答メッセージを前記ユーザ機器に送信することは、
前記ネットワーク側機器が、前記第３スケジューリング情報に含まれるパラメータ配置に基づいて、前記オンデマンドシステム情報応答メッセージを前記ユーザ機器に送信することを含む。
【００２６】
選択可能に、前記方法において、前記第１スケジューリング情報に含まれるパラメータ配置に第１部分パラメータ配置しか含まれないのであれば、前記ネットワーク側機器が、前記オンデマンドシステム情報の第４スケジューリング情報を前記ユーザ機器に送信することをさらに含み、
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含み、
前記ネットワーク側機器が、オンデマンドシステム情報応答メッセージを前記ユーザ機器に送信することは、
前記ネットワーク側機器が、前記第１部分パラメータ配置と前記第２部分パラメータ配置に基づいて、前記オンデマンドシステム情報応答メッセージを前記ユーザ機器に送信することを含む。
【００２７】
選択可能に、前記方法において、前記ネットワーク側機器が、前記第１スケジューリング情報に基づいたシステム情報応答メッセージの送信を指示することに用いられる伝送指示を前記ユーザ機器に送信することをさらに含み、
前記ネットワーク側機器が、オンデマンドシステム情報応答メッセージを前記ユーザ機器に送信することは、
前記ネットワーク側機器が、前記第１スケジューリング情報に含まれるパラメータ配置に基づいて、前記オンデマンドシステム情報応答メッセージを前記ユーザ機器に送信することを含む。
【００２８】
選択可能に、前記方法において、前記ネットワーク側機器が、前記ネットワーク側機器によるオンデマンドシステム情報提供の指示情報を前記ユーザ機器に送信することと、
前記ネットワーク側機器が、前記ユーザ機器から前記指示情報に基づいて送信されるオンデマンドシステム情報要求メッセージを受信することをさらに含み、
ここで、前記オンデマンドシステム情報要求メッセージは、前記ユーザ機器に必要な前記オンデマンドシステム情報を要求することに用いられ、
前記ネットワーク側機器が、ユーザ機器にオンデマンドシステム情報の第１スケジューリング情報を送信することは、
前記ネットワーク側機器が、ユーザ機器に対し、前記ユーザ機器に必要な前記オンデマンドシステム情報の前記第１スケジューリング情報を送信することを含み、
前記ネットワーク側機器が、前記ユーザ機器にオンデマンドシステム情報を送信することは、
前記ネットワーク側機器が、前記第１スケジューリング情報に含まれるパラメータ配置に基づいて、前記オンデマンドシステム情報応答メッセージを前記ユーザ機器に送信することを含む。
【００２９】
選択可能に、前記指示情報は、前記ネットワーク側機器からオンデマンドシステム情報が提供されるかを指示することに用いられ、
または、
前記指示情報は、前記ネットワーク側機器から提供される前記オンデマンドシステム情報のシステム情報リストを含む。
【００３０】
選択可能に、前記ネットワーク側機器が、ユーザ機器から送信されるオンデマンドシステム情報要求メッセージを受信することは、
前記ネットワーク側機器が、前記ユーザ機器からランダムアクセスプロセスのＭｓｇ３によって送信される前記オンデマンドシステム情報要求メッセージを受信すること、
または、
前記ネットワーク側機器が、前記ユーザ機器からＲＲＣメッセージによって送信される前記オンデマンドシステム情報要求メッセージを受信すること、
または、
前記ネットワーク側機器が、前記ユーザ機器からＭＡＣ  ＣＥによって送信される前記オンデマンドシステム情報要求メッセージを受信することを含む。
【００３１】
選択可能に、前記方法において、前記ネットワーク側機器が、アップリンク信号とオンデマンドシステム情報とのマッピング関係情報を前記ユーザ機器に送信することをさらに含み、
前記ネットワーク側機器が、ユーザ機器から送信されるオンデマンドシステム情報要求メッセージを受信することは、
前記ネットワーク側機器が、前記ユーザ機器に必要なオンデマンドシステム情報とはマッピング関係が存在するアップリンク信号を前記ユーザ機器から受信することを含む。
【００３２】
本開示の実施例は、さらに、ユーザ機器を提供する。
当該ユーザ機器において、ネットワーク側機器から送信されるオンデマンドシステム情報の第１スケジューリング情報を受信することに用いられる第１受信モジュールと、
前記ネットワーク側機器から送信されるオンデマンドシステム情報を、前記第１スケジューリング情報に基づいて取得することに用いられる第１取得モジュールとを含む。
【００３３】
選択可能に、前記第１スケジューリング情報は、
前記第１スケジューリング情報に対応するオンデマンドシステム情報を示すシステム情報マッピングテーブル、システム情報周期、システム情報時間ウィンドウ、スタートポイントおよびシステム情報伝送回数のうち、１つまたは複数のパラメータ配置を含む。
【００３４】
選択可能に、前記第１受信モジュールは、
前記ネットワーク側機器から周期的に放送されるシステム情報を受信することに用いられ、
前記周期的に放送されるシステム情報には、オンデマンドシステム情報の第１スケジューリング情報を含む。
【００３５】
選択可能に、前記第１取得モジュールは、
前記第１スケジューリング情報には所定のパラメータ配置が含まれるのであれば、前記ネットワーク側機器から送信されるオンデマンドシステム情報を、前記第１スケジューリング情報に含まれるパラメータ配置を用いて受信すること、
または、
前記第１スケジューリング情報には所定のパラメータ配置が含まれ、かつ前記第１スケジューリング情報に対応するオンデマンドシステム情報には、前記ユーザ機器に必要なオンデマンドシステム情報が含まれるのであれば、前記ネットワーク側機器から送信されるオンデマンドシステム情報を、前記第１スケジューリング情報に含まれるパラメータ配置を用いて受信することに用いられる。
【００３６】
選択可能に、前記第１取得モジュールは、
前記第１スケジューリング情報に基づいて、前記ユーザ機器に必要なオンデマンドシステム情報を要求することに用いられるオンデマンドシステム情報要求メッセージの前記ネットワーク側機器への送信が必要であるかを特定することに用いられる特定ユニットと、
オンデマンドシステム情報要求メッセージの前記ネットワーク側機器への送信が必要であると特定されたのであれば、オンデマンドシステム情報要求メッセージを前記ネットワーク側機器へ送信することに用いられる送信ユニットと、
前記ネットワーク側機器から送信されるオンデマンドシステム情報応答メッセージを受信することに用いられる第１受信ユニットとを含む。
【００３７】
選択可能に、前記特定ユニットは、
前記第１スケジューリング情報に対応するオンデマンドシステム情報には、前記ユーザ機器に必要なオンデマンドシステム情報が含まれるかを判断し、ＮＯであれば、オンデマンドシステム情報要求メッセージの前記ネットワーク側機器への送信が必要であると特定すること、
または、
前記第１スケジューリング情報に含まれるパラメータ配置に第１部分パラメータ配置しか含まれないかを判断し、ＹＥＳであれば、オンデマンドシステム情報要求メッセージの前記ネットワーク側機器への送信が必要であると特定することに用いられる。
【００３８】
選択可能に、前記第１取得モジュールは、さらに、
前記ネットワーク側機器から送信されるシステム情報変更指示を受信することに用いられる第２受信ユニットと、
前記システム情報変更指示に基づいて、前記ネットワーク側機器から送信されるオンデマンドシステム情報の第２スケジューリング情報を受信することに用いられる第３受信ユニットとを含み、
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含み、
前記第１受信ユニットは、
前記ネットワーク側機器から送信されるオンデマンドシステム情報応答メッセージを、前記第２スケジューリング情報に含まれるパラメータ配置を用いて受信することに用いられる。
【００３９】
選択可能に、前記第１取得モジュールは、さらに、
前記ネットワーク側機器から送信されるオンデマンドシステム情報の第３スケジューリング情報を受信することに用いられる第４受信ユニットを含み、
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含み、
前記第１受信ユニットは、
前記ネットワーク側機器から送信されるオンデマンドシステム情報応答メッセージを、前記第３スケジューリング情報に含まれるパラメータ配置を用いて受信することに用いられる。
【００４０】
選択可能に、前記第１取得モジュールは、さらに、
前記ネットワーク側機器から送信されるオンデマンドシステム情報の第４スケジューリング情報を受信することに用いられる第５受信ユニットを含み、
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含み、
前記第１受信ユニットは、
前記第１スケジューリング情報に含まれるパラメータ配置に第１部分パラメータ配置が含まれるのであれば、前記ネットワーク側機器から送信されるオンデマンドシステム情報応答メッセージを、前記第１部分パラメータ配置と前記第２部分パラメータ配置を用いて受信することに用いられる。
【００４１】
選択可能に、前記第１取得モジュールは、さらに、
前記ネットワーク側機器から送信される伝送指示を受信することに用いられる第６受信ユニットを含み、
ここで、前記伝送指示は、前記第１スケジューリング情報に基づいたシステム情報応答メッセージの送信を指示することに用いられ、
前記第１受信ユニットは、
前記ネットワーク側機器から送信されるオンデマンドシステム情報応答メッセージを、前記第１スケジューリング情報に含まれるパラメータ配置を用いて受信することに用いられる。
【００４２】
選択可能に、前記送信ユニットは、さらに、
前記ネットワーク側機器によって変更されたオンデマンドシステム情報には、前記ユーザ機器に必要なオンデマンドシステム情報のすべてまたは一部が含まれないことを、前記ユーザ機器が前記システム情報変更指示に基づいて特定したのであれば、オンデマンドシステム情報要求メッセージを再度送信することに用いられる。
【００４３】
選択可能に、前記送信ユニットは、さらに、
前記システム情報応答メッセージには、前記ユーザ機器に必要なオンデマンドシステム情報のすべてまたは一部が含まれないのであれば、オンデマンドシステム情報要求メッセージを再度送信すること、
または、
前記第１受信ユニットが前記システム情報応答メッセージを事前定義時間または事前設定時間内に受信しなかったのであれば、オンデマンドシステム情報要求メッセージを再度送信することに用いられる。
【００４４】
選択可能に、前記ユーザ機器は、前記ネットワーク側機器によるオンデマンドシステム情報提供の指示情報を前記ネットワーク側機器から受信することに用いられる第２受信モジュールと、
前記ユーザ機器に必要なオンデマンドシステム情報を要求することに用いられるオンデマンドシステム情報要求メッセージを、前記指示情報に基づいて前記ネットワーク側機器に送信することに用いられる送信モジュールとをさらに含み、
前記第１受信モジュールは、
前記ネットワーク側機器から送信される前記ユーザ機器に必要なオンデマンドシステム情報の第１スケジューリング情報を受信することに用いられ、
前記第１取得モジュールは、
前記ネットワーク側機器から送信されるオンデマンドシステム情報応答メッセージを、前記第１スケジューリング情報に含まれるパラメータ配置を用いて受信することに用いられる。
【００４５】
選択可能に、前記指示情報は、前記ネットワーク側機器からオンデマンドシステム情報が提供されるかを指示することに用いられ、
または、
前記指示情報は、前記ネットワーク側機器から提供されるオンデマンドシステム情報のシステム情報リストを含み、
前記送信モジュールは、
前記指示情報によって、前記ネットワーク側機器からオンデマンドシステム情報が提供されると指示するのであれば、オンデマンドシステム情報要求メッセージを前記ネットワーク側機器に送信すること、
または、
システム情報リストに指示されるオンデマンドシステム情報には、前記ユーザ機器に必要なオンデマンドシステム情報が含まれるのであれば、オンデマンドシステム情報要求メッセージを前記ネットワーク側機器に送信することに用いられる。
【００４６】
選択可能に、前記送信ユニットは、
ランダムアクセスプロセスのＭｓｇ３によってオンデマンドシステム情報要求メッセージを前記ネットワーク側機器に送信すること、
または、
ＲＲＣメッセージによってオンデマンドシステム情報要求メッセージを前記ネットワーク側機器に送信すること、
または、
ＭＡＣ  ＣＥによってオンデマンドシステム情報要求メッセージを前記ネットワーク側機器に送信することに用いられる。
【００４７】
選択可能に、前記ユーザ機器は、アップリンク信号とオンデマンドシステム情報とのマッピング関係情報を取得することに用いられる第２取得モジュールをさらに含み、
前記送信ユニットは、
前記ユーザ機器に必要なオンデマンドシステム情報とはマッピング関係が存在するアップリンク信号を前記ネットワーク側機器に送信することに用いられる。
【００４８】
本開示の実施例は、さらに、ネットワーク側機器を提供する。
当該ネットワーク側機器において、ユーザ機器にオンデマンドシステム情報の第１スケジューリング情報を送信することに用いられる第１送信モジュールと、
前記ユーザ機器にオンデマンドシステム情報を送信することに用いられる第２送信モジュールとを含む。
【００４９】
選択可能に、前記第１スケジューリング情報は、
前記第１スケジューリング情報に対応するオンデマンドシステム情報を示すシステム情報マッピングテーブル、システム情報周期、システム情報時間ウィンドウ、スタートポイントおよびシステム情報伝送回数のうち、１つまたは複数のパラメータ配置を含む。
【００５０】
選択可能に、前記第１送信モジュールは、
システム情報を周期的に放送することに用いられ、
前記周期的に放送されるシステム情報には、オンデマンドシステム情報の第１スケジューリング情報を含む。
【００５１】
選択可能に、前記ネットワーク側機器は、前記ユーザ機器から送信されるオンデマンドシステム情報要求メッセージを受信することに用いられる第１受信モジュールをさらに含み、
前記オンデマンドシステム情報要求メッセージは、前記ユーザ機器に必要なオンデマンドシステム情報を要求することに用いられ、
前記第２送信モジュールは、
オンデマンドシステム情報応答メッセージを前記ユーザ機器に送信することに用いられる。
【００５２】
選択可能に、前記ネットワーク側機器は、システム情報変更指示を前記ユーザ機器に送信することに用いられる第３送信モジュールと、
オンデマンドシステム情報の第２スケジューリング情報を前記ユーザ機器に送信することに用いられる第４送信モジュールとをさらに含み、
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含み、
前記第２送信モジュールは、
前記第２スケジューリング情報に含まれるパラメータ配置に基づいて、オンデマンドシステム情報応答メッセージを前記ユーザ機器に送信することに用いられる。
【００５３】
選択可能に、前記ネットワーク側機器は、オンデマンドシステム情報の第３スケジューリング情報を前記ユーザ機器に送信することに用いられる第５送信モジュールをさらに含み、
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含み、
前記第２送信モジュールは、
前記第３スケジューリング情報に含まれるパラメータ配置に基づいて、オンデマンドシステム情報応答メッセージを前記ユーザ機器に送信することに用いられる。
【００５４】
選択可能に、前記ネットワーク側機器は、前記第１スケジューリング情報に含まれるパラメータ配置に第１部分パラメータ配置しか含まれないのであれば、オンデマンドシステム情報の第４スケジューリング情報を前記ユーザ機器に送信することに用いられる第６送信モジュールをさらに含み、
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含み、
前記第２送信モジュールは、
前記第１部分パラメータ配置と前記第２部分パラメータ配置に基づいて、オンデマンドシステム情報応答メッセージを前記ユーザ機器に送信することに用いられる。
【００５５】
選択可能に、前記ネットワーク側機器は、前記第１スケジューリング情報に基づいたシステム情報応答メッセージの送信を指示することに用いられる伝送指示を前記ユーザ機器に送信することに用いられる第７送信モジュールをさらに含み、
前記第２送信モジュールは、
前記第１スケジューリング情報に含まれるパラメータ配置に基づいて、オンデマンドシステム情報応答メッセージを前記ユーザ機器に送信することに用いられる。
【００５６】
選択可能に、前記ネットワーク側機器は、前記ネットワーク側機器によるオンデマンドシステム情報提供の指示情報を前記ユーザ機器に送信することに用いられる第８送信モジュールと、
前記ユーザ機器から前記指示情報に基づいて送信されるオンデマンドシステム情報要求メッセージを受信することに用いられる第２受信モジュールをさらに含み、
ここで、前記オンデマンドシステム情報要求メッセージは、前記ユーザ機器に必要な前記オンデマンドシステム情報を要求することに用いられ、
前記第１送信モジュールは、
ユーザ機器に対し、前記ユーザ機器に必要なオンデマンドシステム情報の第１スケジューリング情報を送信することに用いられ、
前記第２送信モジュールは、
前記第１スケジューリング情報に含まれるパラメータ配置に基づいて、オンデマンドシステム情報応答メッセージを前記ユーザ機器に送信することに用いられる。
【００５７】
選択可能に、前記指示情報は、前記ネットワーク側機器からオンデマンドシステム情報が提供されるかを指示することに用いられ、
または、
前記指示情報は、前記ネットワーク側機器から提供されるオンデマンドシステム情報のシステム情報リストを含む。
【００５８】
選択可能に、前記第１受信モジュールは、
前記ユーザ機器からランダムアクセスプロセスのＭｓｇ３によって送信されるオンデマンドシステム情報要求メッセージを受信すること、
または、
前記ユーザ機器からＲＲＣメッセージによって送信されるオンデマンドシステム情報要求メッセージを受信すること、
または、
前記ユーザ機器からＭＡＣ  ＣＥによって送信されるオンデマンドシステム情報要求メッセージを受信することに用いられる。
【００５９】
選択可能に、前記ネットワーク側機器は、アップリンク信号とオンデマンドシステム情報とのマッピング関係情報を前記ユーザ機器に送信することに用いられる第９送信モジュールをさらに含み、
前記第１受信モジュールは、
前記ユーザ機器に必要なオンデマンドシステム情報とはマッピング関係が存在するアップリンク信号を前記ユーザ機器から受信することに用いられる。
【００６０】
本開示の実施例は、さらに、ユーザ機器を提供する。
トランシーバと、プロセッサと、前記プロセッサによる操作実行に用いられるプログラムまたはデータを記憶することに用いられるメモリとを含むユーザ機器において、
前記トランシーバは、
ネットワーク側機器から送信されるオンデマンドシステム情報の第１スケジューリング情報を受信することに用いられ、
前記プロセッサは、
前記トランシーバで、前記ネットワーク側機器から送信される前記オンデマンドシステム情報を前記第１スケジューリング情報に基づいて取得することに用いられる。
【００６１】
本開示の実施例は、さらに、ネットワーク側機器を提供する。
トランシーバと、プロセッサと、前記プロセッサによる操作実行に用いられるプログラムまたはデータを記憶することに用いられるメモリとを含むネットワーク側機器において、
前記プロセッサは、
前記トランシーバで、前記第１スケジューリング情報をユーザ機器に送信することと、前記ユーザ機器に前記オンデマンドシステム情報を送信することとに用いられる。
【００６２】
本開示の実施例は、さらに、コンピュータ読み取り可能な記憶媒体を提供する。
当該コンピュータ読み取り可能な記憶媒体において、
ネットワーク側機器から送信されるオンデマンドシステム情報の第１スケジューリング情報を受信するステップと、
前記ネットワーク側機器から送信される前記オンデマンドシステム情報を、前記第１スケジューリング情報に基づいて取得するステップとを実現させる指令が格納されている。
【００６３】
本開示の実施例は、さらに、コンピュータ読み取り可能な記憶媒体を提供する。
当該コンピュータ読み取り可能な記憶媒体において、
ユーザ機器にオンデマンドシステム情報の第１スケジューリング情報を送信するステップと、
前記ユーザ機器に前記オンデマンドシステム情報を送信するステップとを実現させる指令が格納されている。
【発明の効果】
【００６４】
本開示の実施例において、ユーザ機器は、ネットワーク側機器から送信されるオンデマンドシステム情報の第１スケジューリング情報を受信し、前記ネットワーク側機器から送信されるオンデマンドシステム情報を前記第１スケジューリング情報に基づいて取得する。このように、システム情報のオンデマンド送信が実現される。すべてのシステム情報が周期的に放送される関連技術に比較し、本開示の実施例は、システム情報のオーバーヘッドを低減させることができる。
【図面の簡単な説明】
【００６５】
【図１】本開示の実施例におけるネットワーク構造図である。
【図２】本開示の実施例におけるシステム情報取得方法のフローチャートである。
【図３】本開示の実施例におけるもう１つのシステム情報取得方法のフローチャートである。
【図４】本開示の実施例において、ネットワーク側から引き起こされるオンデマンドシステム情報スケジューリングである。
【図５】本開示の実施例において、オンデマンドシステム情報スケジューリング情報でのオンデマンドシステム情報スケジューリングである。
【図６】本開示の実施例において、オンデマンドシステム情報リストの場合のオンデマンドシステム情報スケジューリングである。
【図７】本開示の実施例において、一部オンデマンドシステム情報スケジューリング情報でのオンデマンドシステム情報スケジューリングである。
【図８】本開示の実施例において、もう１つの一部オンデマンドシステム情報スケジューリング情報および伝送指示でのオンデマンドシステム情報スケジューリングである。
【図９】本開示の実施例において、もう１つのオンデマンドシステム情報スケジューリングである。
【図１０】本開示の実施例において、もう１つのオンデマンドシステム情報リストの場合のオンデマンドシステム情報スケジューリングである。
【図１１】本開示の実施例におけるユーザ機器の構造図である。
【図１２】本開示の実施例におけるもう１つのユーザ機器の構造図である。
【図１３】本開示の実施例におけるもう１つのユーザ機器の構造図である。
【図１４】本開示の実施例におけるもう１つのユーザ機器の構造図である。
【図１５】本開示の実施例におけるもう１つのユーザ機器の構造図である。
【図１６】本開示の実施例におけるもう１つのユーザ機器の構造図である。
【図１７】本開示の実施例におけるもう１つのユーザ機器の構造図である。
【図１８】本開示の実施例におけるもう１つのユーザ機器の構造図である。
【図１９】本開示の実施例におけるネットワーク側機器の構造図である。
【図２０】本開示の実施例におけるもう１つのネットワーク側機器の構造図である。
【図２１】本開示の実施例におけるもう１つのネットワーク側機器の構造図である。
【図２２】本開示の実施例におけるもう１つのネットワーク側機器の構造図である。
【図２３】本開示の実施例におけるもう１つのネットワーク側機器の構造図である。
【図２４】本開示の実施例におけるもう１つのネットワーク側機器の構造図である。
【図２５】本開示の実施例におけるもう１つのネットワーク側機器の構造図である。
【図２６】本開示の実施例におけるもう１つのネットワーク側機器の構造図である。
【図２７】本開示の実施例におけるもう１つのユーザ機器の構造図である。
【図２８】本開示の実施例におけるもう１つのネットワーク側機器の構造図である。
【発明を実施するための形態】
【００６６】
本開示の解決しようとする課題、技術手段および利点をより明確にするために、以下、図面および具体的な実施例に関連して詳細に記載する。
【００６７】
図１を参照する。図１は、本開示の実施例におけるネットワーク構造図である。図１に示すように、１つまたは複数のユーザ機器１１とネットワーク側機器１２が含まれるが、１つのユーザ機器ＵＥ（Ｕｓｅｒ  Ｅｑｕｉｐｍｅｎｔ）１１を例として図示する。ここで、ユーザ機器１１は、端末と称されてもよく、携帯電話、タブレットパソコン（Ｔａｂｌｅｔ  Ｐｅｒｓｏｎａｌ  Ｃｏｍｐｕｔｅｒ）、ラップトップ型パソコン（Ｌａｐｔｏｐ  Ｃｏｍｐｕｔｅｒ）、パーソナルデジタルアシスタントＰＤＡ（ｐｅｒｓｏｎａｌ  ｄｉｇｉｔａｌ  ａｓｓｉｓｔａｎｔ）、モバイルインターネットデバイスＭＩＤ（Ｍｏｂｉｌｅ  Ｉｎｔｅｒｎｅｔ  Ｄｅｖｉｃｅ）またはウェアラブルデバイス（Ｗｅａｒａｂｌｅ  Ｄｅｖｉｃｅ）などの端末側機器である。なお、本開示の実施例では、ユーザ機器１１の具体的な種類を限定しない。ユーザ機器１１は、ネットワーク側機器１２との通信の確立が可能である。ここで、図示のネットワークは、ユーザ機器１１とネットワーク側機器１２の間で無線で通信を確立することを示す。ネットワーク側機器１２は、たとえば基地局である。基地局は、たとえば、ＬＴＥ  ｅＮＢ、５Ｇ  ＮＲ  ＮＢ（ｇＮＢ）などのマクロ基地局や、ｐｉｃｏ、ｆｅｍｔｏなど低電力ノードＬＰＮ（ｌｏｗ  ｐｏｗｅｒ  ｎｏｄｅ）のスモール基地局であり、またはアクセスポイントＡＰ（ａｃｃｅｓｓ  ｐｏｉｎｔ）である。ネットワーク側機器１２は、中央ユニットＣＵ（ｃｅｎｔｒａｌ  ｕｎｉｔ）およびその管理／制御下の複数の伝送受信ポイントＴＲＰ（Ｔｒａｎｓｍｉｓｓｉｏｎ  Ｒｅｃｅｐｔｉｏｎ  Ｐｏｉｎｔ）からなるネットワークノードであってもよい。また、１つの基地局の配下に１つまたは複数のセル（例えば異なる周波数点またはセクタ分裂）を有する。なお、本開示の実施例では、ネットワーク側機器１２の具体的な種類を限定しない。
【００６８】
図２を参照する。本開示の実施例は、システム情報取得方法を提供する。
図２に示すように、当該方法において、
ユーザ機器が、ネットワーク側機器から送信されるオンデマンドシステム情報の第１スケジューリング情報を受信するステップ２０１と、
前記ユーザ機器が、前記ネットワーク側機器から送信されるオンデマンドシステム情報を、前記第１スケジューリング情報に基づいて取得するステップ２０２とを含む。
【００６９】
本開示の実施例において、オンデマンドシステム情報（ｏｎ−ｄｅｍａｎｄ  ＳＩ）は、ネットワーク側機器のシステム情報のうちの一部のシステム情報であり、または、ネットワーク側機器のオンデマンドシステム情報は、ネットワーク側機器の周期性放送のシステム情報（ｐｅｒｉｏｄｉｃ  ｂｒｏａｄｃａｓｔ  ＳＩ）以外のシステム情報である。周期性放送のシステム情報（ｐｅｒｉｏｄｉｃ  ｂｒｏａｄｃａｓｔ  ＳＩ）は、ネットワーク側機器のシステム情報のうち周期的に放送されるシステム情報であり、たとえば、オンデマンドシステム情報以外のシステム情報であったり、たとえばＭＩＢ、ＳＩＢ１およびＳＩＢ２のうちのすべてまたは一部の内容で、ユーザ機器がセルに滞在して滞在セルにアクセスするシステム情報であったり、ＵＥがセルに滞在して滞在セルにアクセスするのに必要なシステム情報であったりする。また、オンデマンドシステム情報（ｏｎ−ｄｅｍａｎｄ  ＳＩ）は、オンデマンド方式で伝送されるシステム情報と理解されてもよい。
【００７０】
上記第１スケジューリング情報（ｓｃｈｅｄｕｌｉｎｇ  ｉｎｆｏｒｍａｔｉｏｎ）は、ユーザ機器が第１スケジューリング情報に対応するオンデマンドシステム情報を検出または受信することに用いられる関連情報である。すなわち、ユーザ機器は、第１スケジューリング情報によって、第１スケジューリング情報に対応するオンデマンドシステム情報を検出または受信することができる。また、本開示の実施例において、オンデマンドシステム情報毎に１つのスケジューリング情報を有し、すなわち１つのスケジューリング情報が１つのオンデマンドシステム情報に対応してもよく、オンデマンドシステム情報群毎に１つのスケジューリング情報を有し、すなわち１つのスケジューリング情報が１つのオンデマンドシステム情報群に対応してもよい。
【００７１】
上記ユーザ機器が、前記ネットワーク側機器から送信されるオンデマンドシステム情報を前記第１スケジューリング情報に基づいて取得することは、ユーザ機器が、上記第１スケジューリング情報に基づいて、前記ネットワーク側機器から送信されるオンデマンドシステム情報の取得プロセスを実行することである。当該プロセスによって取得されるオンデマンドシステム情報は、上記第１スケジューリング情報に対応しないオンデマンドシステム情報であってもよいが、もちろん、第１スケジューリング情報に対応するオンデマンドシステム情報であってもよい。または、上記ユーザ機器が、前記ネットワーク側機器から送信されるオンデマンドシステム情報を前記第１スケジューリング情報に基づいて取得することは、ユーザ機器が、前記ネットワーク側機器から送信されるオンデマンドシステム情報を、第１スケジューリング情報を用いて取得することである。ここで取得されるオンデマンドシステム情報は、第１スケジューリング情報に対応するオンデマンドシステム情報である。
【００７２】
なお、本開示の実施例において、システム情報は、ＭＩＢおよびＳＩＢ１〜ＳＩＢ２０に限定されず、たとえばＳＩＢｎ（ｎ：２０より大きい整数）や、将来の無線通信システムの発展に適応して拡張されるシステム情報であってもよい。
ＳＩＢ１は、セルアクセスおよびセル選択の関連パラメータおよびＳＩメッセージを放送するスケジューリング情報を含み、１つまたは複数のＳＩＢ２〜１３を含んでもよい。
ＳＩＢ２は、セル内の全てのＵＥに共通の無線パラメータ配置および他の無線パラメータの基本配置を含む。
ＳＩＢ３は、セル再選択情報を含み、主にサービングセルの再選択パラメータおよび同期セルの再選択パラメータに関する。
ＳＩＢ４は、同期隣接セルリストおよび各隣接セルの再選択パラメータ、同期ホワイト／ブラックリストセルリストを含む。
ＳＩＢ５は、非同期隣接周波数点リストおよび各周波数点の再選択パラメータ、非同期隣接セルリストおよび各隣接セルの再選択パラメータ、非同期ブラックリストセルリストを含む。
ＳＩＢ６は、ＵＴＲＡＦＤＤ（ＵＭＴＳ  Ｔｅｒｒｅｓｔｒｉａｌ  Ｒａｄｉｏ  Ａｃｃｅｓｓ−Ｆｒｅｑｕｅｎｃｙ  Ｄｉｖｉｓｉｏｎ  Ｄｕｐｌｅｘｉｎｇ）の隣接チャネルの周波数点リストおよび各周波数点の再選択パラメータ、ＵＴＲＡ  ＴＤＤの隣接チャネルの周波数点リストおよび各周波数点の再選択パラメータを含む。
ＳＩＢ７は、ＧＳＭ（登録商標）とＧＥＲＡＮ（ＧＳＭ  ＥＤＧＥ  Ｒａｄｉｏ  Ａｃｃｅｓｓ  Ｎｅｔｗｏｒｋ）の隣接チャネルの周波数点リストおよび各周波数点の再選択パラメータを含む。
ＳＩＢ８は、ＣＤＭＡ２０００の前登録情報、ＣＤＭＡ２０００の隣接チャネルの周波数帯域リストおよび各周波数帯域の再選択パラメータ、ＣＤＭＡ２０００の隣接チャネルの周波数帯域の隣接セルリストを含む。
ＳＩＢ９は、ホーム基地局（Ｈｏｍｅ  ｅＮｏｄｅＢ）の名称を含む。
ＳＩＢ１０は、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ）のプライマリ通知（ｐｒｉｍａｒｙ  ｎｏｔｉｆｉｃａｔｉｏｎ）を含む。
ＳＩＢ１１は、ＥＴＷＳのセカンダリ通知（ｓｅｃｏｎｄａｒｙ  ｎｏｔｉｆｉｃａｔｉｏｎ）を含む。
ＳＩＢ１２は、ＣＭＡＳ（Ｃｏｍｍｅｒｃｉａｌ  Ｍｏｂｉｌｅ  Ａｌｅｒｔ  Ｓｅｒｖｉｃｅ）通知（ＣＭＡＳ  ｎｏｔｉｆｉｃａｔｉｏｎ）を含む。
ＳＩＢ１３は、１つまたは複数のＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）領域に関するＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）制御情報を取得する情報を含む。
ＳＩＢ１４〜ＳＩＢ２０は、それぞれ対応する特性を有するが、枚挙しない。
【００７３】
なお、ステップ２０２で取得されるオンデマンドシステム情報は、上記ユーザ機器に必要なオンデマンドシステム情報のすべてまたは一部を含み、または、上記ユーザ機器に必要なシステム情報を含まない。たとえば、上記ユーザ機器に必要なオンデマンドシステム情報がＳＩＢ３とＳＩＢ４であるに対し、ネットワーク側機器から送信されるオンデマンドシステム情報は、ＳＩＢ３とＳＩＢ４であったり、ＳＩＢ３とＳＩＢ５であったり、ＳＩＢ６とＳＩＢ７とＳＩＢ８とＳＩＢ９であったりする。ユーザ機器に受信されたオンデマンドシステム情報には、ユーザ機器に必要なシステム情報が含まれず、または、上記ユーザ機器に必要なシステム情報の一部しか含まれない場合、ユーザ機器は、次のオンデマンドシステム情報取得プロセスを実行する。
【００７４】
上記ステップによれば、ネットワーク側機器から送信されるオンデマンドシステム情報を、ユーザ機器が上記第１スケジューリング情報に基づいて取得することが実現され、毎回すべてのシステム情報が放送されるのではないため、伝送リソース節約の目的を達成することができる。
【００７５】
選択可能に、上記第１スケジューリング情報は、前記第１スケジューリング情報に対応するオンデマンドシステム情報を示すシステム情報マッピングテーブル、システム情報周期（ＳＩ  ｐｅｒｉｏｄ）、システム情報時間ウィンドウ（ＳＩ−ｗｉｎｄｏｗ）、スタートポイント（ｓｔａｒｔ  ｐｏｉｎｔ）および伝送回数（ｔｒａｎｓｍｉｓｓｉｏｎ  ｎｕｍｂｅｒ）のうち、１つまたは複数のパラメータ配置を含む。
【００７６】
当該実施例において、上記システム情報マッピングテーブルから、ユーザ機器は、上記第１スケジューリング情報に対応するオンデマンドシステム情報が分かり、または、上記システム情報マッピングテーブルから、上記第１スケジューリング情報がどのオンデマンドシステム情報のスケジューリング情報であるかが分かると理解してもよい。上記システム情報マッピングテーブルは、第１スケジューリング情報に対応するオンデマンドシステム情報リスト（ＳＩＢ  ｍａｐｐｉｎｇ  ｌｉｓｔ）を含むことが好ましく、オンデマンドシステム情報毎に１つのスケジューリング情報を有してもよく、オンデマンドシステム情報群毎に１つのスケジューリング情報を有してもよい。上記システム情報マッピングテーブルは、インデックスリスト（ｉｎｄｅｘ  ｌｉｓｔ）であってもよく、システム情報インデックス（ＳＩＢ  ｉｎｄｅｘ）を指示するビットマップ（ｂｉｔｍａｐ）であってもよい。Ｂｉｔｍａｐは、ＳＩＢ１〜ＳＩＢｎ（ｎは正整数であり、たとえばｎ＝２０。）が含まれているかを指示し、含まれている場合に１で示すが、含まれていない場合に０で示す。
【００７７】
ユーザ機器は、上記システム情報マッピングテーブルから、ネットワーク側機器から送信されるオンデマンドシステム情報の受信が必要であるかを特定することができる。たとえば、ユーザ機器に必要なオンデマンドシステム情報が含まれていれば受信するが、ユーザ機器に必要なオンデマンドシステム情報が含まれていなければ受信しない。よって、たとえばユーザ機器に必要のないオンデマンドシステム情報の受信を避けるなど、必要性のない受信を減らすことができる。また、ここの第１スケジューリング情報の受信は、放送周期内の受信に対応し、かつここの放送周期は、上記システム情報周期によって決められてもよく、ユーザ機器とネットワーク側機器との間で予め取り決められてもよいが、これについては、本開示の実施例において限定しない。
【００７８】
上記システム情報周期は、オンデマンドシステム情報の放送周期であり、または、オンデマンドシステム情報の伝送周期（ｔｒａｎｓｍｉｓｓｉｏｎ  ｐｅｒｉｏｄ）であり、すなわちネットワーク側機器からオンデマンドシステム情報が放送されて送信される伝送機会の時間間隔である。上記システム情報周期は、たとえば｛ｒｆ８，ｒｆ１６，ｒｆ３２，ｒｆ６４，ｒｆ１２８，ｒｆ２５６，ｒｆ５１２｝のように、無線フレーム数で示されることが好ましい。また、オンデマンドシステム情報の放送周期は、周期的に放送されるシステム情報の放送周期（伝送周期）より長く、たとえば、前者が後者の整数倍である。上記システム情報周期から、ユーザ機器は、ネットワーク側機器から送信されるオンデマンドシステム情報を受信することができる。もちろん、ここで、上記システム情報マッピングテーブルと組み合わせて受信するかを特定してもよいが、上記システム情報マッピングテーブルと組み合わせずに直接受信し、受信してから、ユーザ機器に必要なオンデマンドシステム情報が含まれているかを判断するのもよい。ここの受信は、次の周期が到達するときに受信してもよく、上記システム情報時間ウィンドウと組み合わせて当該システム情報時間ウィンドウ内で受信してもよい。
上記システム情報時間ウィンドウは、ユーザ機器がオンデマンドシステム情報を受信するウィンドウの長さである。上記システム情報時間ウィンドウは、たとえば｛ｍｓ１，ｍｓ２，ｍｓ５，ｍｓ１０，ｍｓ１５，ｍｓ２０，ｍｓ４０｝のように、ミリ秒数で示されることが好ましい。また、システム情報時間ウィンドウ内において、ユーザ機器は、連続サブフレームで受信する必要がないが、あるサブフレームで伝送するかは、ＳＩ−ＲＮＴＩ（ｓｙｓｔｅｍ  ｉｎｆｏｒｍａｔｉｏｎ−ｒａｄｉｏ  ｎｅｔｗｏｒｋ  ｔｅｍｐｏｒａｒｙ  ｉｄｅｎｔｉｆｉｅｒ）（たとえばＯＤ−ＳＩ−ＲＮＴＩ）でスクランブルされたＰＤＣＣＨ（Ｐｈｙｓｉｃａｌ  Ｄｏｗｎｌｉｎｋ  Ｃｏｎｔｒｏｌ  Ｃｈａｎｎｅｌ）で示され、ＵＥは、ＳＩ−ＲＮＴＩによってアドレッシングを行う。また、ＵＥは、ＨＡＲＱ（Ｈｙｂｒｉｄ  Ａｕｔｏｍａｔｉｃ  Ｒｅｐｅａｔ  ｒｅＱｕｅｓｔ）の合併（ＡＣＫ／ＮＡＣＫのフィードバックがない）によって複数のサブフレームを合併して受信し、システム情報受信性能を向上させてもよい。同様に、ここの放送周期は、上記システム情報周期によって決められてもよく、ユーザ機器とネットワーク側機器との間で予め取り決められてもよいが、これについては、本開示の実施例において限定しない。
上記スタートポイントは、ネットワーク側機器からオンデマンドシステム情報が送信される伝送機会の各時間間隔の開始時点であってもよく、各システム情報周期内のシステム情報時間ウィンドウの開始位置（たとえば開始無線フレーム、開始サブフレーム）であってもよい。当該スタートポイントから、ユーザ機器は、ネットワーク側機器から送信されるオンデマンドシステム情報をタイムリーに受信することができる。
【００７９】
上記伝送回数は、ネットワーク側機器からオンデマンドシステム情報が送信される回数であってもよく、伝送機会でオンデマンドシステム情報が送信される回数であってもよい。ここの伝送回数は、ネットワーク側機器から連続の放送周期内の送信回数であってもよく、１つのシステム情報修正周期（ｍｏｄｉｆｉｃａｔｉｏｎ  ｐｅｒｉｏｄ）内でネットワーク側機器からオンデマンドシステム情報の送信回数であってもよい。上記伝送回数は、たとえば｛１，２，４，８，…，ｉｎｆｉｎｉｔｅ｝のように、整数で示されることが好ましく、ｉｎｆｉｎｉｔｅは、送信し続けることを示し、さらに、１つのシステム情報修正周期（ｍｏｄｉｆｉｃａｔｉｏｎ  ｐｅｒｉｏｄ）内の各放送周期からすべて送信する。上記伝送回数から、ユーザ機器は、ネットワーク側機器からオンデマンドシステム情報の送信回数が分かる。よって、ネットワーク側機器は、オンデマンドシステム情報を送信するたびに、それに先立って伝送指示を送信する必要がない。よって、ネットワークリソースとシステムシグナリングのオーバーヘッドを節約することができる。
【００８０】
なお、本開示の実施例において、上記第１スケジューリング情報は、上記パラメータ配置のいずれか１つを含むだけでよく、複数またはすべてのパラメータ配置を含む必要があることに限定されない。応用シーンによっては、異なるパラメータ配置が含まれる。たとえば、放送して送信されるオンデマンドシステム情報（ＯＤ  ＳＩ）のスケジューリング情報は、システム情報周期、システム情報時間ウィンドウ、スタートポイントおよび伝送回数を含むが、マルチキャスト送信されるＯＤ  ＳＩのスケジューリング情報は、システム情報時間ウィンドウおよびスタートポイントを含む。
【００８１】
選択可能に、上記ユーザ機器が、ネットワーク側機器から送信されるオンデマンドシステム情報の第１スケジューリング情報を受信することは、前記ユーザ機器が、前記ネットワーク側機器から周期的に放送されるシステム情報（ｐｅｒｉｏｄｉｃ  ｂｒｏａｄｃａｓｔ  ＳＩ）を受信することを含む。
前記周期的に放送されるシステム情報には、オンデマンドシステム情報の第１スケジューリング情報を含む。
【００８２】
当該実施例において、周期的に放送されるシステム情報によって、オンデマンドシステム情報の第１スケジューリング情報を送信することが実現される。また、上記周期的に放送されるシステム情報は、オンデマンドシステム情報の第１スケジューリング情報のみを含むシステム情報である。もちろん、一部のシーンでは、上記周期的に放送されるシステム情報は、たとえばＭＩＢ、ＳＩＢ１およびＳＩＢ２のような、周期的に放送される必要のあるほかのシステム情報を含んでもよい。
【００８３】
選択可能に、前記ユーザ機器が、前記ネットワーク側機器から送信されるオンデマンドシステム情報を前記第１スケジューリング情報に基づいて取得することは、
前記第１スケジューリング情報には所定のパラメータ配置が含まれるのであれば、前記ユーザ機器が、前記ネットワーク側機器から送信されるオンデマンドシステム情報を、前記第１スケジューリング情報に含まれるパラメータ配置を用いて受信すること、
または、
前記第１スケジューリング情報には所定のパラメータ配置が含まれ、かつ前記第１スケジューリング情報に対応するオンデマンドシステム情報には、前記ユーザ機器に必要なオンデマンドシステム情報が含まれるのであれば、前記ユーザ機器が、前記ネットワーク側機器から送信されるオンデマンドシステム情報を、前記第１スケジューリング情報に含まれるパラメータ配置を用いて受信することを含む。
【００８４】
ここで、上記所定のパラメータ配置は、システム情報マッピングテーブル、システム情報周期、システム情報時間ウィンドウ、スタートポイントおよびシステム情報伝送回数であり、すなわち、当該５つのパラメータ配置を含む。もちろん、一部のシーンでは、上記所定のパラメータ配置は、システム情報マッピングテーブル、システム情報周期、システム情報時間ウィンドウ、スタートポイントおよびシステム情報伝送回数のうちの一部のパラメータであってもよく、たとえば、システム情報マッピングテーブル、システム情報周期、システム情報時間ウィンドウおよびスタートポイントであったり、システム情報マッピングテーブル、システム情報周期およびスタートポイントであったりするが、これについて、本開示の実施例において限定しない。また、上記所定のパラメータ配置は、完全なパラメータ配置と称されてもよい。
【００８５】
当該実施例において、第１スケジューリング情報には所定のパラメータ配置が含まれる場合、ユーザ機器が、前記ネットワーク側機器から送信されるオンデマンドシステム情報を、直接第１スケジューリング情報に含まれるパラメータ配置を用いて受信することが実現され、ユーザ機器に実行される作業を減少させることができる。たとえば、第１スケジューリング情報には完全なパラメータ配置が含まれ、たとえばＰＷＳ（ＥＴＷＳとＣＭＡＳを含む）のシステム情報、セル再選択のシステム情報、更新後のオンデマンドシステム情報など、ネットワークによって引き起こされるオンデマンドシステム情報の放送に用いられる。すると、ＵＥは、当該スケジューリング情報に基づいて、オンデマンドシステム情報を取得することができる。
【００８６】
また、当該実施例において、第１スケジューリング情報には所定のパラメータ配置が含まれ、かつ第１スケジューリング情報に対応するオンデマンドシステム情報には、前記ユーザ機器に必要なオンデマンドシステム情報が含まれる場合、ユーザ機器が、前記ネットワーク側機器から送信されるオンデマンドシステム情報を、第１スケジューリング情報に含まれるパラメータ配置を用いて受信することが実現され、ユーザ機器がユーザ機器に必要のないオンデマンドシステム情報を受信することが避けられる。たとえば、ユーザ機器がオンデマンドシステム情報のスケジューリング情報を受信し、当該スケジューリング情報には完全なパラメータ配置が含まれるのであれば、当該ユーザ機器は、自身に必要なシステム情報が含まれるかをチェックし、含まれているのであれば、当該スケジューリング情報に基づいて必要なシステム情報を取得するが、含まれていないのであれば、オンデマンドシステム情報要求メッセージをネットワーク側機器に送信する。ここで、オンデマンドシステム情報要求メッセージについて、以下の実施形態の記載を参照する。
【００８７】
選択可能に、前記ユーザ機器が、前記ネットワーク側機器から送信されるオンデマンドシステム情報を前記第１スケジューリング情報に基づいて取得することは、
前記ユーザ機器が、前記第１スケジューリング情報に基づいて、前記ユーザ機器に必要なオンデマンドシステム情報を要求することに用いられるオンデマンドシステム情報要求メッセージ（ｏｎ−ｄｅｍａｎｄ  ＳＩ  ｒｅｑｕｅｓｔ  ｍｅｓｓａｇｅ）の前記ネットワーク側機器への送信が必要であるかを特定することと、
オンデマンドシステム情報要求メッセージの前記ネットワーク側機器への送信が必要であると特定したのであれば、前記ユーザ機器が、オンデマンドシステム情報要求メッセージ（ｏｎ−ｄｅｍａｎｄ  ＳＩ  ｒｅｑｕｅｓｔ  ｍｅｓｓａｇｅ）を前記ネットワーク側機器へ送信することと、
前記ユーザ機器が、前記ネットワーク側機器から送信されるオンデマンドシステム情報応答メッセージ（ｏｎ−ｄｅｍａｎｄ  ＳＩ  ｒｅｓｐｏｎｓｅ  ｍｅｓｓａｇｅ）を受信することとを含む。
【００８８】
当該実施例において、ユーザ機器からネットワーク側機器へ上記システム情報要求メッセージが送信され、ユーザ機器に必要なシステム情報を要求することが実現される。たとえば、上記ユーザ機器に必要なオンデマンドシステム情報がＳＩＢ３とＳＩＢ４であり、ユーザ機器は、ＳＩＢ３とＳＩＢ４に対応するシステム情報要求メッセージをネットワーク側機器に送信する。
【００８９】
ネットワーク側機器は、上記システム情報要求メッセージを受信すると、当該システム情報要求メッセージに基づいてシステム情報応答メッセージを送信する。または、ネットワーク側機器は、ユーザ機器から送信されるオンデマンドシステム情報要求メッセージおよび自身から提供可能なオンデマンドシステム情報に基づいてオンデマンドシステム情報応答メッセージを送信する。ここで、上記システム情報応答メッセージには、ユーザ機器に必要なオンデマンドシステム情報のすべてまたは一部が含まれる。もちろん、一部のシーンにおいて、上記システム情報応答メッセージには、ユーザ機器に必要なオンデマンドシステム情報が含まれない可能性がある。ユーザ機器が受信したオンデマンドシステム情報応答メッセージには、自身に必要なシステム情報が含まれないのであれば、ユーザ機器は、自身に必要なシステム情報をネットワーク側機器から送信できないことが分かる。また、ユーザ機器は、ネットワーク側からのフィードバックが受信しなかったのであれば、オンデマンドシステム情報の要求が失敗したと見なし、次のオンデマンドシステム情報スケジューリングプロセスを行う。また、上記オンデマンドシステム情報応答メッセージには、ほかのユーザ機器に必要なオンデマンドシステム情報のすべてまたは一部が含まれてもよく、または、ほかのユーザ機器に必要なオンデマンドシステム情報が含まれなくてもよい。または、上記オンデマンドシステム情報応答メッセージには、システム情報テーブルインデックスが含まれてもよい。すると、ユーザ機器は、前記システム情報テーブルインデックスに対応するオンデマンドシステム情報を、保存したシステム情報テーブルから検索することができる。ここで、システム情報テーブルインデックスに対応するオンデマンドシステム情報は、ユーザ機器に必要なオンデマンドシステム情報のすべてまたは一部が含まれてもよく、または、前記ユーザ機器に必要なシステム情報が含まれなくてもよい。システム情報テーブルインデックスに対応するオンデマンドシステム情報は、ほかのユーザ機器に必要なオンデマンドシステム情報のすべてまたは一部が含まれてもよく、または、ほかのユーザ機器に必要なオンデマンドシステム情報が含まれなくてもよい。
【００９０】
当該実施例において、ユーザ機器から送信されるオンデマンドシステム情報要求メッセージに基づいてオンデマンドシステム情報の送信が実現され、ユーザ機器に必要のないオンデマンドシステム情報の放送が避けられ、伝送リソースの無駄遣いが避けられる。
【００９１】
また、ネットワーク側機器は、ＳＩ−ＲＮＴＩでスクランブルされたＰＤＣＣＨによって、オンデマンドシステム情報応答メッセージをスケジューリングすることができ、各ユーザ機器は、ＳＩ−ＲＮＴＩによってアドレッシングを行うことができる。かつ放送方式で送信されるオンデマンドシステム情報応答メッセージに対し、ネットワーク側からオンデマンドシステム情報の送信を繰り返して行うことができ、ユーザ機器は、ＨＡＲＱの合併（ＡＣＫ／ＮＡＣＫのフィードバックがない）によって、システム情報受信性能を向上させる。
【００９２】
ここで、前記第１スケジューリング情報に基づいて、オンデマンドシステム情報要求メッセージの前記ネットワーク側機器への送信が必要であるかを特定することは、上記第１スケジューリング情報に基づいて、第１スケジューリング情報に対応するオンデマンドシステム情報には、ユーザ機器に必要なオンデマンドシステム情報のすべてまたは一部が含まれないと特定してもよく、または、上記第１スケジューリング情報に含まれるパラメータ配置が完全ではなく、すなわち、ユーザ機器に必要なパラメータ配置の一部が第１スケジューリング情報に含まれていないと特定してもよいが、これについて、本開示の実施例において限定しない。
【００９３】
選択可能に、当該実施形態の上記方法において、
前記システム情報応答メッセージには、前記ユーザ機器に必要なオンデマンドシステム情報のすべてまたは一部が含まれないのであれば、前記ユーザ機器が、オンデマンドシステム情報要求メッセージを再度送信すること、
または、
前記ユーザ機器が、前記システム情報応答メッセージを事前定義時間または事前設定時間内に受信しなかったのであれば、オンデマンドシステム情報要求メッセージを再度送信することをさらに含む。
【００９４】
このように、前記ユーザ機器に必要なオンデマンドシステム情報のすべてまたは一部がシステム情報応答メッセージに含まれなかったり、前記システム情報応答メッセージを事前定義時間または事前設定時間内に受信しなかったりすると、ユーザ機器からオンデマンドシステム情報要求メッセージを再度送信することが実現される。たとえば、ユーザ機器に必要なオンデマンドシステム情報がＳＩＢ３であるが、システム情報応答メッセージにはＳＩＢ３が含まれないと、ユーザ機器は、システム情報要求メッセージを再度送信する必要がある。
【００９５】
ここで、上記事前定義時間または事前設定時間は、事前に定義または設定されたモニタリング時間と理解してもよい。すなわち、当該時間内において、対応するシステム情報応答メッセージをモニタリングできなければ、ＳＩ  ｒｅｑｕｅｓｔの送信が失敗したと見なし、再度送信する必要がある。
【００９６】
選択可能に、前記ユーザ機器が、前記第１スケジューリング情報に基づいて、オンデマンドシステム情報要求メッセージの前記ネットワーク側機器への送信が必要であるかを特定することは、
前記ユーザ機器が、前記第１スケジューリング情報に対応するオンデマンドシステム情報には、前記ユーザ機器に必要なオンデマンドシステム情報が含まれるかを判断し、ＮＯであれば、オンデマンドシステム情報要求メッセージの前記ネットワーク側機器への送信が必要であると特定すること、
または、
前記ユーザ機器が、前記第１スケジューリング情報に含まれるパラメータ配置に第１部分パラメータ配置しか含まれないかを判断し、ＹＥＳであれば、オンデマンドシステム情報要求メッセージの前記ネットワーク側機器への送信が必要であると特定することを含む。
【００９７】
当該実施形態において、第１スケジューリング情報に対応するオンデマンドシステム情報には、ユーザ機器に必要なオンデマンドシステム情報が含まれなかったり、第１スケジューリング情報に含まれるパラメータ配置には、第１部分パラメータ配置しか含まれなかったりすると、オンデマンドシステム情報要求メッセージの送信が必要であると特定することが実現される。ここで、上記第１部分パラメータ配置は、予め設定されたものであり、たとえば、システム情報マッピングテーブル、システム情報周期、システム情報時間ウィンドウおよびスタートポイント、または、システム情報マッピングテーブル、システム情報周期およびスタートポイントの一部を上記第１部分パラメータ配置として設定する。すなわち、第１スケジューリング情報に上記５つのパラメータ配置が含まれなければ、第１スケジューリング情報に含まれるパラメータ配置には、第１部分パラメータ配置しか含まれないと特定する。または、上記第１部分パラメータ配置は、以上の実施例において所定のパラメータ配置のうちの一部のパラメータ配置に定義されてもよい。たとえば、ユーザ機器が受信したオンデマンドシステム情報のスケジューリング情報には、ユーザ機器に要求されるオンデマンドシステム情報の放送／マルチキャスト送信に用いられる一部のパラメータ配置（たとえばシステム情報マッピングテーブル、システム情報周期、システム情報時間ウィンドウおよびスタートポイントのうちの１つまたは複数）が含まれるのであれば、当該ユーザ機器は、オンデマンドシステム情報要求メッセージの送信が必要であると特定する。
【００９８】
選択可能に、上記ユーザ機器が、前記ネットワーク側機器から送信されるオンデマンドシステム情報を前記第１スケジューリング情報に基づいて取得することは、さらに、
前記ユーザ機器が、前記ネットワーク側機器から送信されるシステム情報変更指示（ｓｙｓｔｅｍ  Ｉｎｆｏ  Ｍｏｄｉｆｉｃａｔｉｏｎ）を受信することと、
前記ユーザ機器が、前記システム情報変更指示に基づいて、前記ネットワーク側機器から送信されるオンデマンドシステム情報の第２スケジューリング情報を受信することとを含む。
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含む。
前記ユーザ機器が、前記ネットワーク側機器から送信されるオンデマンドシステム情報応答メッセージを受信することは、
前記ユーザ機器が、前記ネットワーク側機器から送信されるオンデマンドシステム情報応答メッセージを、前記第２スケジューリング情報に含まれるパラメータ配置を用いて受信することを含む。
【００９９】
ここで、上記システム情報変更指示は、生じようとするシステム情報の変化をユーザ機器に通知することに用いられる。よって、ユーザ機器は、システム情報変更指示に基づいて、生じようとするシステム情報の変化を特定した後に、前記ネットワーク側機器から送信されるオンデマンドシステム情報の第２スケジューリング情報を受信することができる。また、当該実施形態において、上記オンデマンドシステム情報応答メッセージは、上記第２スケジューリング情報に対応する。すなわち、ネットワーク側機器は、第２スケジューリング情報に基づいて、上記オンデマンドシステム情報応答メッセージを送信する。よってし、ユーザ機器は、第２スケジューリング情報に含まれるパラメータ配置を用いてオンデマンドシステム情報応答メッセージを受信する。
【０１００】
たとえば、システム情報修正周期内でシステム情報の変更ができないシーンにおいて、すなわち、周期的に放送されるシステム情報およびそのうちのオンデマンドシステム情報のスケジューリング情報の変更が不可であり、ネットワーク側機器は、システム情報変更指示（ｓｙｓｔｅｍ  Ｉｎｆｏ  Ｍｏｄｉｆｉｃａｔｉｏｎ）をｐａｇｉｎｇ（ページング）メッセージで送信し、生じようとするシステム情報の変化をＵＥに通知する。それから、次のシステム情報修正周期内で周期的に放送されるシステム情報において、新規のオンデマンドシステム情報のスケジューリング情報（第２スケジューリング情報）、および、当該スケジューリング情報に対応するオンデマンドシステム情報応答メッセージを送信する。たとえば、ユーザ機器が、自身に必要なシステム情報が元のスケジューリング情報に含まれないとチェックする。ユーザ機器から送信されるオンデマンドシステム情報リストが｛ＳＩＢ３，ＳＩＢ４｝であると、ネットワーク側は、ｐａｇｉｎｇメッセージでシステム情報変更指示を送信し、生じようとするシステム情報の変化をユーザ機器に通知する。それから、ネットワーク側は、ユーザ機器から送信されるオンデマンドシステム情報要求メッセージに基づいて、自身から提供可能なオンデマンドシステム情報も考慮して、次のシステム情報修正周期内で周期的に放送されるシステム情報において、新規のオンデマンドシステム情報のスケジューリング情報（ＳＩＢ３とＳＩＢ４の完全なパラメータ配置を含む）、および、当該スケジューリング情報に対応しＳＩＢ３とＳＩＢ４のシステム情報を含むオンデマンドシステム情報応答メッセージを送信する。ここで、本開示の実施例におけるシステム情報修正周期は、ネットワーク側機器で予め定義されてもよく、ネットワーク側機器とユーザ機器との間で予め取り決められてもよいが、これについて、本開示の実施例において限定しない。
【０１０１】
なお、当該実施形態において、端末が次のシステム情報修正周期内で第２スケジューリング情報を受信することに限定されない。たとえば、現在のシステム情報修正周期内において、上記システム情報変更指示に基づいて第２スケジューリング情報を受信してもよい。すなわち、当該実施形態において、システム情報修正周期内でシステム情報の変更が可能であるシーンにも適用できる。
【０１０２】
なお、本開示の実施例において、所定のパラメータ配置に関する説明は、所定のパラメータ配置が初めて現れる際の関連説明を参照されたく、ほかの箇所において繰り返して記載しない。
【０１０３】
選択可能に、当該実施形態の前記方法において、
前記ネットワーク側機器によって変更されたオンデマンドシステム情報には、前記ユーザ機器に必要なオンデマンドシステム情報のすべてまたは一部が含まれないことを、前記ユーザ機器が前記システム情報変更指示に基づいて特定したのであれば、前記ユーザ機器が、オンデマンドシステム情報要求メッセージを再度送信することをさらに含む。
【０１０４】
当該実施形態において、ネットワーク側機器によって変更されたオンデマンドシステム情報には、前記ユーザ機器に必要なオンデマンドシステム情報のすべてまたは一部が含まれないと、ユーザ機器からオンデマンドシステム情報要求メッセージを再度送信することが実現される。たとえば、ユーザ機器に必要なオンデマンドシステム情報がＳＩＢ３であるが、変更前に、ネットワーク側機器から提供されるオンデマンドシステム情報にＳＩＢ３が含まれず、かつ上記システム情報変更指示による変更後でも、ネットワーク側機器から提供されるオンデマンドシステム情報にＳＩＢ３が含まれないと、ユーザ機器からシステム情報要求メッセージを再度送信する必要がある。
【０１０５】
また、ネットワーク側機器によって変更されたオンデマンドシステム情報には、前記ユーザ機器に必要なオンデマンドシステム情報のすべてまたは一部が含まれないと、ユーザ機器は、上記第２スケジューリング情報を受信してなくてもよい。すなわち、上記第２スケジューリング情報は、ネットワーク側機器によって変更されたオンデマンドシステム情報には、前記ユーザ機器に必要なオンデマンドシステム情報が含まれると特定してから受信される。
【０１０６】
選択可能に、前記ユーザ機器が、前記ネットワーク側機器から送信されるオンデマンドシステム情報を前記第１スケジューリング情報に基づいて取得することは、さらに、
前記ユーザ機器が、前記ネットワーク側機器から送信されるオンデマンドシステム情報の第３スケジューリング情報を受信することを含む。
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含む。
前記ユーザ機器が、前記ネットワーク側機器から送信されるオンデマンドシステム情報応答メッセージを受信することは、
前記ユーザ機器が、前記ネットワーク側機器から送信されるオンデマンドシステム情報応答メッセージを、前記第３スケジューリング情報に含まれるパラメータ配置を用いて受信することを含む。
【０１０７】
当該実施形態において、上記第３スケジューリング情報が直接送信されるが、上記実施形態に比較し、システム情報変更指示の伝送が減少され、ネットワーク伝送リソースが節約される。たとえば、システム情報修正周期内でシステム情報の変更が可能であるシーンにおいて、周期的に放送されるシステム情報およびそのうちのオンデマンドシステム情報のスケジューリング情報の変更が可能である。ネットワーク側機器は、現在のシステム情報修正周期内で周期的に放送されるシステム情報において、新規のオンデマンドシステム情報のスケジューリング情報（第３スケジューリング情報）、および、当該スケジューリング情報に対応するオンデマンドシステム情報応答メッセージを送信する。たとえば、ユーザ機器が、自身に必要なシステム情報が元のスケジューリング情報に含まれないとチェックし、ユーザ機器から送信されるオンデマンドシステム情報リストが｛ＳＩＢ３，ＳＩＢ４｝であると、ネットワーク側は、ユーザ機器から送信されるオンデマンドシステム情報要求メッセージに基づいて、自身から提供可能なオンデマンドシステム情報も考慮して、現在のシステム情報修正周期内で周期的に放送されるシステム情報において、新規のオンデマンドシステム情報のスケジューリング情報（ＳＩＢ３とＳＩＢ４の完全なパラメータ配置を含む）、および、当該スケジューリング情報に対応しＳＩＢ３とＳＩＢ４のシステム情報を含むオンデマンドシステム情報応答メッセージを送信する。このように、ユーザ機器は、自身に必要なオンデマンドシステム情報を取得することができる。
【０１０８】
また、当該実施形態において、システム情報修正周期内でシステム情報の変更が不可であるシーンに適用してもよい。たとえば、端末は、デフォルトとして、次のシステム情報修正周期内で前記第３スケジューリング情報を受信する。
【０１０９】
選択可能に、前記ユーザ機器が、前記ネットワーク側機器から送信されるオンデマンドシステム情報を前記第１スケジューリング情報に基づいて取得することは、さらに、
前記ユーザ機器が、前記ネットワーク側機器から送信されるオンデマンドシステム情報の第４スケジューリング情報を受信することを含む。
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含む。
前記ユーザ機器が、前記ネットワーク側機器から送信されるオンデマンドシステム情報応答メッセージを受信することは、
前記第１スケジューリング情報に含まれるパラメータ配置に第１部分パラメータ配置が含まれるのであれば、前記ユーザ機器が、前記ネットワーク側機器から送信されるオンデマンドシステム情報応答メッセージを、前記第１部分パラメータ配置と前記第２部分パラメータ配置を用いて受信することを含む。
【０１１０】
当該実施形態において、上記第２部分パラメータ配置は、以上の実施形態で紹介した第１部分パラメータ配置以外のパラメータ配置である。たとえば、上記第１部分パラメータ配置は、所定のパラメータ配置のうちの一部であると、第２部分パラメータ配置は、当該所定のパラメータ配置のうちの別部分である。もちろん、一部のシーンにおいて、上記第２部分パラメータ配置と第１部分パラメータ配置との和は、上記所定のパラメータ配置のうちの一部であってもよいが、これについて、本開示の実施例において限定しない。
【０１１１】
たとえば、システム情報修正周期内でシステム情報の変更が可能であるシーンにおいて、周期的に放送されるシステム情報およびそのうちのオンデマンドシステム情報のスケジューリング情報の変更が可能である。ネットワーク側機器は、現在のシステム情報修正周期内で周期的に放送されるシステム情報において、新規のオンデマンドシステム情報のスケジューリング情報（第４スケジューリング情報）、および、当該スケジューリング情報に対応するオンデマンドシステム情報応答メッセージを送信する。たとえば、ユーザ機器は、オンデマンドシステム情報の第１スケジューリング情報（一部のパラメータ配置を含み、たとえば、システム情報マッピングテーブルが｛ＳＩＢ５，ＳＩＢ６｝であり、システム情報周期が８ｒｆであり、システム情報時間ウィンドウが５ｍｓである。）を受信する。ユーザ機器から送信されるオンデマンドシステム情報リストは、｛ＳＩＢ５｝である。ネットワーク側は、当該ユーザ機器から送信されるオンデマンドシステム情報要求メッセージに基づいて、自身から提供可能なオンデマンドシステム情報も考慮して、現在のシステム情報修正周期内で周期的に放送されるシステム情報において、新規のオンデマンドシステム情報のスケジューリング情報である第４スケジューリング情報（ＳＩＢ５とＳＩＢ６の別部分のパラメータ配置を含み、たとえば、スタートポイントは、ＳＦＮｍｏｄ８＝０の開始無線フレームおよび無線フレームのうちの２番目の開始サブフレームであり、伝送回数が２である。）、および、当該スケジューリング情報に対応しＳＩＢ５とＳＩＢ６のシステム情報を含むオンデマンドシステム情報応答メッセージを送信する。このように、ユーザ機器は、前記ネットワーク側機器から送信されるオンデマンドシステム情報応答メッセージを、前記第１部分パラメータ配置と前記第２部分パラメータ配置を用いて受信することができる。当該実施形態において、前記第１部分パラメータ配置と前記第２部分パラメータ配置を用いて受信するため、第４スケジューリング情報のオーバーヘッドが減少され、ネットワークリソースが節約される。
【０１１２】
同様に、当該実施形態において、システム情報修正周期内でシステム情報の変更が不可であるシーンに適用してもよい。たとえば、端末は、デフォルトとして、次のシステム情報修正周期内で前記第４スケジューリング情報を受信する。
【０１１３】
選択可能に、前記ユーザ機器が、前記ネットワーク側機器から送信されるオンデマンドシステム情報を前記第１スケジューリング情報に基づいて取得することは、さらに、
前記ユーザ機器が、前記ネットワーク側機器から送信される伝送指示を受信することを含む。
ここで、前記伝送指示は、前記第１スケジューリング情報に基づいたシステム情報応答メッセージの送信を指示することに用いられる。
前記ユーザ機器が、前記ネットワーク側機器から送信されるオンデマンドシステム情報応答メッセージを受信することは、
前記ユーザ機器が、前記ネットワーク側機器から送信されるオンデマンドシステム情報応答メッセージを、前記第１スケジューリング情報に含まれるパラメータ配置を用いて受信することを含む。
【０１１４】
当該実施形態において、上記伝送指示によって、前記第１スケジューリング情報に基づいたシステム情報応答メッセージの送信をユーザ機器に指示することが実現され、ユーザ機器は、前記ネットワーク側機器から送信されるオンデマンドシステム情報応答メッセージを、前記第１スケジューリング情報に含まれるパラメータ配置を用いて受信する。このように、ほかのスケジューリング情報の伝送が避けられ、ネットワークリソースが節約される。ここで、上記第１スケジューリング情報に含まれるパラメータ配置は、所定のパラメータ配置であってもよく、たとえば以上の実施形態で紹介した第１部分パラメータ配置など、一部のパラメータ配置であってもよい。
【０１１５】
たとえば、システム情報修正周期内でシステム情報の変更が可能であるシーンにおいて、周期的に放送されるシステム情報およびそのうちのオンデマンドシステム情報のスケジューリング情報の変更が可能である。ネットワーク側機器は、現在のシステム情報修正周期内で周期的に放送されるシステム情報において、伝送指示（１ｂｉｔの指示またはリスト）、および、第１スケジューリング情報に対応するオンデマンドシステム情報応答メッセージを送信する。たとえば、ユーザ機器は、オンデマンドシステム情報の第１スケジューリング情報（一部のパラメータ配置を含み、たとえば、システム情報マッピングテーブルが｛ＳＩＢ７｝であり、システム情報周期が１６ｒｆであり、システム情報時間ウィンドウが５ｍｓであり、スタートポイントがＳＦＮｍｏｄ１６＝１の開始無線フレームおよび無線フレームのうちの３番目の開始サブフレームである。）を受信する。ユーザ機器から送信されるオンデマンドシステム情報リストは、｛ＳＩＢ７｝である。ネットワーク側は、当該ユーザ機器から送信されるオンデマンドシステム情報要求メッセージに基づいて、自身から提供可能なオンデマンドシステム情報も考慮して、現在のシステム情報修正周期内で周期的に放送されるシステム情報において、伝送指示（たとえば、１ｂｉｔによって、ＳＩＢ７を元のスケジューリング情報に基づいて送信すると指示する。）、および、元のスケジューリング情報に対応しＳＩＢ７のシステム情報を含むオンデマンドシステム情報応答メッセージを送信する。
【０１１６】
同様に、当該実施形態において、システム情報修正周期内でシステム情報の変更が不可であるシーンに適用してもよい。たとえば、端末は、デフォルトとして、次のシステム情報修正周期内で伝送指示を受信する。
【０１１７】
選択可能に、上記方法において、
前記ユーザ機器が、前記ネットワーク側機器によるオンデマンドシステム情報提供の指示情報を前記ネットワーク側機器から受信することと、
前記ユーザ機器が、前記ユーザ機器に必要なオンデマンドシステム情報を要求することに用いられるオンデマンドシステム情報要求メッセージを、前記指示情報に基づいて前記ネットワーク側機器に送信することとをさらに含む。
前記ユーザ機器が、ネットワーク側機器から送信されるオンデマンドシステム情報の第１スケジューリング情報を受信することは、
前記ユーザ機器が、ネットワーク側機器から送信される前記ユーザ機器に必要なオンデマンドシステム情報の第１スケジューリング情報を受信することを含む。
前記ユーザ機器が、前記ネットワーク側機器から送信されるオンデマンドシステム情報を前記第１スケジューリング情報に基づいて取得することは、
前記ユーザ機器が、前記ネットワーク側機器から送信されるオンデマンドシステム情報応答メッセージを、前記第１スケジューリング情報に含まれるパラメータ配置を用いて受信することを含む。
【０１１８】
当該実施形態において、上記指示情報に基づいてオンデマンドシステム情報要求メッセージを送信することが実現される。たとえば、上記指示情報によって、ネットワーク側機器からオンデマンドシステム情報が送信されると指示すると、ユーザ機器は、オンデマンドシステム情報要求メッセージを送信することができる。かつネットワーク側機器から送信される第１スケジューリング情報は、ユーザ機器に必要なオンデマンドシステム情報の第１スケジューリング情報である。このように、ユーザ機器が第１スケジューリング情報を用いて上記オンデマンドシステム情報応答メッセージを受信することが実現される。もちろん、上記システム情報応答メッセージは、ユーザ機器に必要なオンデマンドシステム情報のすべてまたは一部を含む。もちろん、一部のシーンにおいて、上記システム情報応答メッセージは、ユーザ機器に必要なオンデマンドシステム情報を含まない可能性がある。ユーザ機器が受信したオンデマンドシステム情報応答メッセージには、自身に必要なシステム情報が含まれないのであれば、ユーザ機器は、自身に必要なシステム情報がネットワーク側機器から提供できないことが分かる。また、ユーザ機器は、ネットワーク側からのフィードバックを受信しなかったのであれば、オンデマンドシステム情報の要求が失敗したと見なし、次のオンデマンドシステム情報スケジューリングプロセスを行う。また、上記指示情報は、周期的に放送されるシステム情報（ｐｅｒｉｏｄｉｃ  ｂｒｏａｄｃａｓｔ  ＳＩ）によって送信される。すなわち、ネットワーク側機器は、周期的に放送されるシステム情報によって上記指示情報を送信する。
【０１１９】
選択可能に、前記指示情報は、前記ネットワーク側機器からオンデマンドシステム情報が提供されるかを指示することに用いられる。または、前記指示情報は、前記ネットワーク側機器から提供されるオンデマンドシステム情報のシステム情報リストを含む。
前記ユーザ機器が、前記指示情報に基づいて前記ネットワーク側機器にオンデマンドシステム情報要求メッセージを送信することは、
前記指示情報によって、前記ネットワーク側機器からオンデマンドシステム情報が提供されると指示するのであれば、前記ユーザ機器が、オンデマンドシステム情報要求メッセージを前記ネットワーク側機器に送信すること、
または、
システム情報リストに指示されるオンデマンドシステム情報には、前記ユーザ機器に必要なオンデマンドシステム情報が含まれるのであれば、前記ユーザ機器が、オンデマンドシステム情報要求メッセージを前記ネットワーク側機器に送信することを含む。
【０１２０】
当該実施形態において、上記指示情報は、ネットワーク側機器からオンデマンドシステム情報を提供するかを指示するケース１と、ネットワーク側機器からどのオンデマンドシステム情報を提供するかを指示するケース２に分けられる。ケース１の場合、１ビットで指示し、１で「提供あり」を示し、０で「提供なし」を示すが、または、提供する場合ｔｒｕｅで示すが、提供しない場合当該指示がない。インデックスリストｉｎｄｅｘ  ｌｉｓｔであってもよく、ＳＩＢ  ｉｎｄｅｘを指示するｂｉｔｍａｐであってもよい。Ｂｉｔｍａｐは、ＳＩＢ１〜ＳＩＢｎ（ｎは、正整数であり、たとえばｎ＝２０）が提供されるかを指示する。提供する場合、１で示すが、提供しない場合、０で示す。当該実施例における提供とは、次の放送周期または現在の修正周期または次の修正周期で提供するかを指す。
【０１２１】
このように、ユーザ機器が受信したオンデマンドシステム情報の存在指示が１またはｔｒｕｅであれば、ネットワーク側からオンデマンドシステム情報が提供されることを指示し、当該ユーザ機器からオンデマンドシステム情報要求メッセージを送信する。ユーザ機器がオンデマンドシステム情報リストを受信し、ネットワーク側からどのオンデマンドシステム情報が提供されるかが指示されると、当該ユーザ機器は、自身に必要なシステム情報が含まれるかをチェックし、含まれている場合、オンデマンドシステム情報要求メッセージを送信する。
【０１２２】
たとえば、上記の１またはｔｒｕｅと指示される指示情報に対し、ネットワーク側機器は、ユーザ機器から送信される上記オンデマンドシステム情報要求メッセージを受信すると、現在のシステム情報修正周期内で周期的に放送されるシステム情報において、オンデマンドシステム情報の第１スケジューリング情報（完全なパラメータ配置を含む）、および、当該スケジューリング情報に対応するオンデマンドシステム情報応答メッセージを送信する。たとえば、ユーザ機器が受信したオンデマンドシステム情報の存在指示が１またはｔｒｕｅであり、ネットワーク側からオンデマンドシステム情報が提供されることを指示する。ユーザ機器から送信されるオンデマンドシステム情報リストは、｛ＳＩＢ１３｝である。ネットワーク側は、当該ユーザ機器から送信されるオンデマンドシステム情報要求メッセージに基づいて、自身から提供可能なオンデマンドシステム情報も考慮して、現在のシステム情報修正周期内で周期的に放送されるシステム情報において、新規のオンデマンドシステム情報のスケジューリング情報（ＳＩＢ１３の完全なパラメータ配置を含む）、および、当該スケジューリング情報に対応しＳＩＢ１３のシステム情報を含むオンデマンドシステム情報応答メッセージを送信する。
【０１２３】
また、たとえば、ネットワーク側機器から提供されるオンデマンドシステム情報には、ユーザ機器に必要なシステム情報が含まれるとの指示に対し、ネットワーク側機器は、ユーザ機器から送信される上記オンデマンドシステム情報要求メッセージを受信すると、現在のシステム情報修正周期内で周期的に放送されるシステム情報において、オンデマンドシステム情報の第１スケジューリング情報（完全なパラメータ配置を含む）、および、当該スケジューリング情報に対応するオンデマンドシステム情報応答メッセージを送信する。たとえば、ユーザ機器１とユーザ機器２は、オンデマンドシステム情報リスト｛００１１１１１１１１００００００００００｝を受信し、ネットワーク側からＳＩＢ３〜ＳＩＢ１０が提供されると指示する。ＵＥ５は、自身に必要なシステム情報ＳＩＢ８が含まれるとチェックし、ユーザ機器１から送信されるオンデマンドシステム情報リストが｛ＳＩＢ８｝である。ＵＥ６は、自身に必要なシステム情報ＳＩＢ９が含まれるとチェックし、ユーザ機器２から送信されるオンデマンドシステム情報リストが｛ＳＩＢ９｝である。ネットワーク側は、ユーザ機器１とユーザ機器２から送信されるオンデマンドシステム情報要求メッセージに基づいて、自身から提供可能なオンデマンドシステム情報も考慮して、現在のシステム情報修正周期内で周期的に放送されるシステム情報において、新規のオンデマンドシステム情報のスケジューリング情報（ＳＩＢ８とＳＩＢ９の完全なパラメータ配置を含む）、および、当該スケジューリング情報に対応しＳＩＢ８とＳＩＢ９のシステム情報を含むオンデマンドシステム情報応答メッセージを送信する。
【０１２４】
選択可能に、前記ユーザ機器が、前記オンデマンドシステム情報要求メッセージを前記ネットワーク側機器に送信することは、
前記ユーザ機器が、ランダムアクセスプロセスのＭｓｇ３によってオンデマンドシステム情報要求メッセージを前記ネットワーク側機器に送信すること、
または、
前記ユーザ機器が、ＲＲＣメッセージによってオンデマンドシステム情報要求メッセージを前記ネットワーク側機器に送信すること、
または、
前記ユーザ機器が、ＭＡＣ  ＣＥによってオンデマンドシステム情報要求メッセージを前記ネットワーク側機器に送信することを含む。
【０１２５】
当該実施形態において、ランダムアクセスプロセスのＭｓｇ３、ＲＲＣメッセージまたはＭＡＣ  ＣＥによってオンデマンドシステム情報要求メッセージを前記ネットワーク側機器に送信することが実現される。たとえば、待機状態／インアクティブ状態のユーザ機器は、ランダムアクセスプロセスによってオンデマンドシステム情報要求メッセージを送信する。すなわち、ランダムアクセスプロセスのＭｓｇ３にオンデマンドシステム情報要求メッセージを含ませ、オンデマンドシステム情報リストが含まれる。たとえば、ＵＥに必要なシステム情報がＳＩＢ３とＳＩＢ４であると、ＵＥから送信されるオンデマンドシステム情報要求メッセージに含まれるオンデマンドシステム情報リストは、｛ＳＩＢ３，ＳＩＢ４｝または｛００１１００００００００００００００００｝である。また、たとえば、接続状態のユーザ機器は、ＲＲＣメッセージまたはＭＡＣ  ＣＥによってオンデマンドシステム情報要求メッセージを送信する。すなわち、ＵＥは、ＲＲＣメッセージまたはＭＡＣ  ＣＥにオンデマンドシステム情報要求メッセージを含ませ、オンデマンドシステム情報リストが含まれる。
【０１２６】
選択可能に、上記方法において、前記ユーザ機器が、アップリンク信号とオンデマンドシステム情報とのマッピング関係情報を取得することをさらに含む。
前記ユーザ機器がオンデマンドシステム情報要求メッセージを前記ネットワーク側機器に送信することは、
前記ユーザ機器が、前記ユーザ機器に必要なオンデマンドシステム情報とはマッピング関係が存在するアップリンク信号を前記ネットワーク側機器に送信することを含む。
【０１２７】
当該実施形態において、上記マッピング関係情報は、受信した周期的に放送されるシステム情報から取得される。すなわち、ネットワーク側機器から送信される周期的に放送されるシステム情報には、上記マッピング関係情報が含まれる。または、上記マッピング関係情報は、ユーザ機器によって予め設定される。よって、ローカルから上記マッピング関係情報を取得する。当該実施形態において、上記アップリンク信号の送信によって、ユーザ機器に必要なオンデマンドシステム情報をネットワーク側機器に知らせる。アップリンク信号の送信は、従来のフローによって実現される。そのため、通信フローが減少され、ユーザ機器とネットワーク側機器が改良される。もちろん、ネットワーク側機器においても、予め上記マッピング関係情報を取得する。たとえば、待機状態／インアクティブ状態のユーザ機器は、アップリンク信号プロセスによってオンデマンドシステム情報要求メッセージを送信する。すなわち、ユーザ機器は、アップリンク信号（たとえばＰｒｅａｍｂｌｅ、Ｓｙｎｃなど）を送信し、当該アップリンク信号とオンデマンドシステム情報とはマッピングテーブルが存在する。たとえば、Ｐｒｅａｍｂｌｅ１は、ＳＩＢ３に対応し、Ｐｒｅａｍｂｌｅ２は、ＳＩＢ４に対応し、または、Ｐｒｅａｍｂｌｅ３は、ＳＩＢ３とＳＩＢ４に対応する。
【０１２８】
なお、本開示の実施例で紹介した実施形態は、互いに組み合わせて実現してもよく、単独で実現してもよいが、これについて、本開示の実施例において限定しない。
【０１２９】
本開示の実施例において、ユーザ機器は、ネットワーク側機器から送信されるオンデマンドシステム情報の第１スケジューリング情報を受信し、前記ネットワーク側機器から送信されるオンデマンドシステム情報を前記第１スケジューリング情報に基づいて取得する。このように、システム情報のオンデマンド送信が実現される。すべてのシステム情報が周期的に放送される関連技術に比較し、本開示の実施例は、システム情報のオーバーヘッドを低減させることができる。
【０１３０】
図３を参照する。本開示の実施例は、さらに、システム情報取得方法を提供する。
図３に示すように、当該方法において、
ネットワーク側機器が、ユーザ機器にオンデマンドシステム情報の第１スケジューリング情報を送信するステップ３０１と、
ネットワーク側機器が、前記ユーザ機器にオンデマンドシステム情報を送信するステップ３０２を含む。
【０１３１】
ステップ３０２によって、前記ユーザ機器は、前記ネットワーク側機器から送信されるオンデマンドシステム情報を、前記第１スケジューリング情報に基づいて取得することができる。詳細な説明は、図２に示す実施例を参照されたい。
【０１３２】
選択可能に、第１スケジューリング情報は、
前記第１スケジューリング情報に対応するオンデマンドシステム情報を示すシステム情報マッピングテーブル、システム情報周期、システム情報時間ウィンドウ、スタートポイントおよびシステム情報伝送回数のうち、１つまたは複数のパラメータ配置を含む。
【０１３３】
選択可能に、前記ネットワーク側機器が、ユーザ機器にオンデマンドシステム情報の第１スケジューリング情報を送信することは、
ネットワーク側機器が、システム情報を周期的に放送することを含む。前記周期的に放送されるシステム情報には、オンデマンドシステム情報の第１スケジューリング情報を含む。
【０１３４】
選択可能に、前記方法において、前記ネットワーク側機器が、前記ユーザ機器から送信されるオンデマンドシステム情報要求メッセージを受信することをさらに含む。
前記オンデマンドシステム情報要求メッセージは、前記ユーザ機器に必要なオンデマンドシステム情報を要求することに用いられる。
前記ネットワーク側機器が、前記ユーザ機器にオンデマンドシステム情報を送信することは、
前記ネットワーク側機器が、オンデマンドシステム情報応答メッセージを前記ユーザ機器に送信することを含む。
【０１３５】
選択可能に、前記方法において、
前記ネットワーク側機器が、システム情報変更指示を前記ユーザ機器に送信することと、
前記ネットワーク側機器が、オンデマンドシステム情報の第２スケジューリング情報を前記ユーザ機器に送信することとをさらに含む。
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含む。
前記ネットワーク側機器が、オンデマンドシステム情報応答メッセージを前記ユーザ機器に送信することは、
前記ネットワーク側機器が、前記第２スケジューリング情報に含まれるパラメータ配置に基づいて、オンデマンドシステム情報応答メッセージを前記ユーザ機器に送信することを含む。
【０１３６】
選択可能に、前記方法において、
前記ネットワーク側機器が、オンデマンドシステム情報の第３スケジューリング情報を前記ユーザ機器に送信することをさらに含む。
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含む。
前記ネットワーク側機器が、オンデマンドシステム情報応答メッセージを前記ユーザ機器に送信することは、
前記ネットワーク側機器が、前記第３スケジューリング情報に含まれるパラメータ配置に基づいて、オンデマンドシステム情報応答メッセージを前記ユーザ機器に送信することを含む。
【０１３７】
選択可能に、前記方法において、
前記第１スケジューリング情報に含まれるパラメータ配置に第１部分パラメータ配置しか含まれないのであれば、前記ネットワーク側機器が、オンデマンドシステム情報の第４スケジューリング情報を前記ユーザ機器に送信することをさらに含む。
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含む。
前記ネットワーク側機器が、オンデマンドシステム情報応答メッセージを前記ユーザ機器に送信することは、
前記ネットワーク側機器が、前記第１部分パラメータ配置と前記第２部分パラメータ配置に基づいて、オンデマンドシステム情報応答メッセージを前記ユーザ機器に送信することを含む。
【０１３８】
選択可能に、前記方法において、
前記ネットワーク側機器が、前記第１スケジューリング情報に基づいたシステム情報応答メッセージの送信を指示することに用いられる伝送指示を前記ユーザ機器に送信することをさらに含む。
前記ネットワーク側機器が、オンデマンドシステム情報応答メッセージを前記ユーザ機器に送信することは、
前記ネットワーク側機器が、前記第１スケジューリング情報に含まれるパラメータ配置に基づいて、オンデマンドシステム情報応答メッセージを前記ユーザ機器に送信することを含む。
【０１３９】
選択可能に、前記方法において、
前記ネットワーク側機器が、前記ネットワーク側機器によるオンデマンドシステム情報提供の指示情報を前記ユーザ機器に送信することと、
前記ネットワーク側機器が、前記ユーザ機器から前記指示情報に基づいて送信されるオンデマンドシステム情報要求メッセージを受信することをさらに含む。
ここで、前記オンデマンドシステム情報要求メッセージは、前記ユーザ機器に必要なオンデマンドシステム情報を要求することに用いられる。
前記ネットワーク側機器が、ユーザ機器にオンデマンドシステム情報の第１スケジューリング情報を送信することは、
前記ネットワーク側機器が、ユーザ機器に対し、前記ユーザ機器に必要なオンデマンドシステム情報の第１スケジューリング情報を送信することを含む。
前記ネットワーク側機器が、前記ユーザ機器にオンデマンドシステム情報を送信することは、
前記ネットワーク側機器が、前記第１スケジューリング情報に含まれるパラメータ配置に基づいて、オンデマンドシステム情報応答メッセージを前記ユーザ機器に送信することを含む。
【０１４０】
選択可能に、前記指示情報は、前記ネットワーク側機器からオンデマンドシステム情報が提供されるかを指示することに用いられる。または、前記指示情報は、前記ネットワーク側機器から提供されるオンデマンドシステム情報のシステム情報リストを含む。
【０１４１】
選択可能に、前記ネットワーク側機器が、ユーザ機器から送信されるオンデマンドシステム情報要求メッセージを受信することは、
前記ネットワーク側機器が、前記ユーザ機器からランダムアクセスプロセスのＭｓｇ３によって送信されるオンデマンドシステム情報要求メッセージを受信すること、
または、
前記ネットワーク側機器が、前記ユーザ機器からＲＲＣメッセージによって送信されるオンデマンドシステム情報要求メッセージを受信すること、
または、
前記ネットワーク側機器が、前記ユーザ機器からＭＡＣ  ＣＥによって送信されるオンデマンドシステム情報要求メッセージを受信することを含む。
【０１４２】
選択可能に、前記方法において、
前記ネットワーク側機器が、アップリンク信号とオンデマンドシステム情報とのマッピング関係情報を前記ユーザ機器に送信することをさらに含む。
前記ネットワーク側機器が、ユーザ機器から送信されるオンデマンドシステム情報要求メッセージを受信することは、
前記ネットワーク側機器が、前記ユーザ機器に必要なオンデマンドシステム情報とはマッピング関係が存在するアップリンク信号を前記ユーザ機器から受信することを含む。
【０１４３】
なお、本実施例は、図２に示す実施例に対応するネットワーク側機器の実施形態であり、その具体的な実施形態について、図２に示す実施例の関連説明を参照されたく、重複な説明を避けるために本実施例では繰り返して記載しない。本実施例において、同様にシステム情報のオーバーヘッドの低減を実現することができる。
【０１４４】
以下、複数の例によって、以上の実施例で紹介した実施形態を例示的に説明する。
【０１４５】
例１：
当該例は、待機状態／インアクティブ状態のＵＥによる、ネットワーク側から引き起こされるオンデマンドシステム情報スケジューリングプロセスを示す。当該例におけるネットワーク側から引き起こされるオンデマンドシステム情報スケジューリングは、図４に示され、具体的な動作フローは、以下である。
ステップ１において、待機状態／インアクティブ状態のＵＥ１、ＵＥ２、…ＵＥｎ（ｎは整数である）は、ネットワーク側機器から周期的放送で送信されるシステム情報を受信する。当該システム情報は、オンデマンドシステム情報のスケジューリング情報を含み、完全なパラメータ配置を含み、たとえばＰＷＳ（ＥＴＷＳとＣＭＡＳを含む）のような、ネットワークから引き起こされるオンデマンドシステム情報の放送して送信することに用いられる。
ステップ２において、ネットワーク側機器は、スケジューリング情報に基づいて、オンデマンドシステム情報応答メッセージを放送して送信し、ＰＷＳのシステム情報が含まれる。具体的に、ネットワーク側は、ＳＩ−ＲＮＴＩでスクランブルされたＰＤＣＣＨによって、オンデマンドシステム情報応答メッセージをスケジューリングする。
ステップ３において、ＵＥ１、ＵＥ２、…ＵＥｎは、ＰＷＳスケジューリング情報に基づいて、オンデマンドシステム情報応答メッセージを受信する。具体的に、ＵＥ１、ＵＥ２、…ＵＥｎは、ＳＩ−ＲＮＴＩによってアドレッシングを行ってＰＷＳのシステム情報を取得する。
【０１４６】
例２：
当該例において、システム情報修正周期内でシステム情報が変わらず、待機状態／インアクティブ状態のＵＥがオンデマンドシステム情報のスケジューリング情報を受信してオンデマンドシステム情報スケジューリングプロセスを行うことを示す。当該例におけるオンデマンドシステム情報スケジューリング情報でのオンデマンドシステム情報スケジューリングは、図５に示され、具体的な動作フローは、以下である。
ステップ１において、待機状態／インアクティブ状態のＵＥ１は、ネットワーク側機器から周期的放送で送信されるシステム情報を受信する。当該システム情報は、オンデマンドシステム情報のスケジューリング情報を含み、完全なパラメータ配置を含み、たとえばＰＷＳ（ＥＴＷＳとＣＭＡＳを含む）のシステム情報は、放送されて送信される。
ステップ２において、ＵＥ１は、自身に必要なシステム情報であるＳＩＢ３とＳＩＢ４が含まれるかをチェックする。含まれていないため、ＵＥ１は、オンデマンドシステム情報要求メッセージをネットワーク側に送信し、含まれるオンデマンドシステム情報リストが｛ＳＩＢ３，ＳＩＢ４｝である。
ステップ３において、修正周期内でシステム情報の変更ができないため、オンデマンドシステム情報のスケジューリング情報の変更ができない。ネットワーク側は、システム情報変更指示（ｓｙｓｔｅｍＩｎｆｏＭｏｄｉｆｉｃａｔｉｏｎ）をｐａｇｉｎｇ（ページング）メッセージに送信して、生じようとするシステム情報の変化をＵＥ１、ＵＥ２、…ＵＥｎ（ｎは整数である）に通知する。
ステップ４において、ネットワーク側機器は、ＵＥ１から送信されるオンデマンドシステム情報要求メッセージに基づいて、自身から提供可能なオンデマンドシステム情報も考慮して、次のシステム情報修正周期内で周期的に放送されるシステム情報において、新規のオンデマンドシステム情報のスケジューリング情報（ＳＩＢ３とＳＩＢ４の完全なパラメータ配置を含む）、および、当該スケジューリング情報に対応しＳＩＢ３とＳＩＢ４のシステム情報を含むオンデマンドシステム情報応答メッセージを送信する。
ステップ５において、ＵＥ１は、ＳＩＢ３とＳＩＢ４スケジューリング情報に基づいて、オンデマンドシステム情報応答メッセージを受信する。具体的に、ＵＥ１は、ＳＩ−ＲＮＴＩによってアドレッシングを行ってＳＩＢ３とＳＩＢ４のシステム情報を取得する。
【０１４７】
例３：
当該例において、システム情報修正周期内でシステム情報が変わらず、待機状態／インアクティブ状態のＵＥがオンデマンドシステム情報リストを受信した場合にオンデマンドシステム情報スケジューリングプロセスを行うことを示す。当該例におけるオンデマンドシステム情報リストの場合のオンデマンドシステム情報スケジューリングは、図６に示され、具体的な動作フローは、以下である。
ステップ１において、待機状態／インアクティブ状態のＵＥ１は、ネットワーク側から周期的放送で送信されるシステム情報を受信する。当該システム情報は、オンデマンドシステム情報リスト｛００１１１１１１１１００００００００００｝が含まれ、ネットワーク側からＳＩＢ３〜ＳＩＢ１０が提供されることを指示する。
ステップ２において、ＵＥ１は、自身に必要なシステム情報であるＳＩＢ３とＳＩＢ４が含まれているとチェックする。すると、ＵＥ１は、オンデマンドシステム情報要求メッセージをネットワーク側に送信し、含まれるオンデマンドシステム情報リストが｛ＳＩＢ３，ＳＩＢ４｝である。
ステップ３において、修正周期内でシステム情報の変更ができないため、オンデマンドシステム情報のスケジューリング情報野変更ができない。ネットワーク側は、システム情報変更指示（ｓｙｓｔｅｍＩｎｆｏＭｏｄｉｆｉｃａｔｉｏｎ）をｐａｇｉｎｇ（ページング）メッセージに送信して、生じようとするシステム情報の変化をＵＥ１、ＵＥ２、…ＵＥｎ（ｎは整数である）に通知する。
ステップ４において、ネットワーク側機器は、ＵＥ１から送信されるオンデマンドシステム情報要求メッセージに基づいて、自身から提供可能なオンデマンドシステム情報も考慮して、次のシステム情報修正周期内で周期的に放送されるシステム情報において、新規のオンデマンドシステム情報のスケジューリング情報（ＳＩＢ３とＳＩＢ４の完全なパラメータ配置を含む）、および、当該スケジューリング情報に対応しＳＩＢ３とＳＩＢ４のシステム情報を含むオンデマンドシステム情報応答メッセージを送信する。
ステップ５において、ＵＥ１は、ＳＩＢ３とＳＩＢ４スケジューリング情報に基づいて、オンデマンドシステム情報応答メッセージを受信する。具体的に、ＵＥ１は、ＳＩ−ＲＮＴＩによってアドレッシングを行ってＳＩＢ３とＳＩＢ４のシステム情報を取得する。
【０１４８】
例４〜例７は、システム情報修正周期内でシステム情報が変更可能である場合を例として説明する。
【０１４９】
例４：
当該例において、待機状態／インアクティブ状態のＵＥが一部オンデマンドシステム情報のスケジューリング情報を受信してオンデマンドシステム情報スケジューリングプロセスを行うことを示す。当該例における一部オンデマンドシステム情報スケジューリング情報でのオンデマンドシステム情報スケジューリングは、図７に示され、具体的な動作フローは、以下である。
ステップ１において、待機状態／インアクティブ状態のＵＥ２は、ネットワーク側から周期的放送で送信されるシステム情報を受信する。当該システム情報は、オンデマンドシステム情報のスケジューリング情報が含まれ、一部のパラメータ配置が含まれる。たとえば、システム情報マッピングテーブルは、｛ＳＩＢ５，ＳＩＢ６｝であり、システム情報周期は、８ｒｆであり、システム情報時間ウィンドウは、５ｍｓである。
ステップ２において、ＵＥ２に必要なオンデマンドシステム情報がＳＩＢ５であるため、ＵＥ２は、オンデマンドシステム情報要求メッセージをネットワーク側に送信し、含まれるオンデマンドシステム情報リストが｛ＳＩＢ５｝である。
ステップ３において、修正周期内でシステム情報が変更可能であるため、オンデマンドシステム情報のスケジューリング情報は、変更可能である。ネットワーク側機器は、ＵＥ２から送信されるオンデマンドシステム情報要求メッセージに基づいて、自身から提供可能なオンデマンドシステム情報も考慮して、現在の修正周期内で周期的に放送されるシステム情報において、新規のオンデマンドシステム情報のスケジューリング情報（ＳＩＢ５とＳＩＢ６の別部分のパラメータ配置を含み、たとえばスタートポイントは、ＳＦＮｍｏｄ８＝０の開始無線フレームおよび無線フレームのうちの２番目の開始サブフレームであり、伝送回数は、２である）、および、当該スケジューリング情報に対応しＳＩＢ５とＳＩＢ６のシステム情報を含むオンデマンドシステム情報応答メッセージを送信する。
ステップ４において、ＵＥ２は、ＳＩＢ５とＳＩＢ４スケジューリング情報に基づいて、オンデマンドシステム情報応答メッセージを受信する。具体的に、ＵＥ２は、ＳＩ−ＲＮＴＩによってアドレッシングを行ってＳＩＢ５とＳＩＢ６のシステム情報を取得する。
【０１５０】
例５：
当該例において、待機状態／インアクティブ状態のＵＥが一部オンデマンドシステム情報スケジューリング情報および伝送指示を受信してオンデマンドシステム情報スケジューリングプロセスを行うことを示す。当該例における一部オンデマンドシステム情報スケジューリング情報および伝送指示でのオンデマンドシステム情報スケジューリングは、図８に示され、具体的な動作フローは、以下である。
ステップ１において、待機状態／インアクティブ状態のＵＥ３は、ネットワーク側から周期的放送で送信されるシステム情報を受信する。当該システム情報は、オンデマンドシステム情報のスケジューリング情報が含まれ、一部のパラメータ配置が含まれる。たとえば、システム情報マッピングテーブルは、｛ＳＩＢ７｝であり、システム情報周期は、１６ｒｆであり、システム情報時間ウィンドウは、５ｍｓであり、スタートポイントは、ＳＦＮｍｏｄ１６＝１の開始無線フレームおよび無線フレームのうちの３番目の開始サブフレームである。
ステップ２において、ＵＥ３に必要なシステム情報がＳＩＢ７であるため、ＵＥ３は、オンデマンドシステム情報要求メッセージをネットワーク側に送信し、含まれるオンデマンドシステム情報リストが｛ＳＩＢ７｝である。
ステップ３において、修正周期内でシステム情報が変更可能であるため、周期的に放送されるシステム情報は、変更可能である。ネットワーク側機器は、ＵＥ３から送信されるオンデマンドシステム情報要求メッセージに基づいて、自身から提供可能なオンデマンドシステム情報も考慮して、現在の修正周期内で周期的に放送されるシステム情報において、伝送指示（１ｂｉｔによって、元のスケジューリング情報に基づいてＳＩＢ７を送信することを指示する）、および、元のスケジューリング情報に対応しＳＩＢ７のシステム情報を含むオンデマンドシステム情報応答メッセージを送信する。
ステップ４において、ＵＥ３は、ＳＩＢ７伝送指示および元のスケジューリング情報に基づいて、オンデマンドシステム情報応答メッセージを受信する。具体的に、ＵＥ３は、ＳＩ−ＲＮＴＩによってアドレッシングを行ってＳＩＢ７のシステム情報を取得する。
【０１５１】
例６：
当該例において、待機状態／インアクティブ状態のＵＥが１またはｔｒｕｅの存在指示を受信した場合のオンデマンドシステム情報スケジューリングプロセスを示す。当該例における１またはｔｒｕｅである存在指示の場合のオンデマンドシステム情報スケジューリングは、図９に示され、具体的な動作フローは、以下である。
ステップ１において、待機状態／インアクティブ状態のＵＥ４は、ネットワーク側から周期的放送で送信されるシステム情報を受信し、含まれるオンデマンドシステム情報の存在指示が１またはｔｒｕｅであり、ネットワーク側からオンデマンドシステム情報の提供が可能であることを指示する。
ステップ２において、ＵＥ４に必要なシステム情報がＳＩＢ１３であるため、ＵＥ４は、オンデマンドシステム情報要求メッセージをネットワーク側に送信し、含まれるオンデマンドシステム情報リストが｛ＳＩＢ１３｝である。
ステップ３において、修正周期内でシステム情報が変更可能であるため、オンデマンドシステム情報のスケジューリング情報は、変更可能である。ネットワーク側機器は、ＵＥ４から送信されるオンデマンドシステム情報要求メッセージに基づいて、自身から提供可能なオンデマンドシステム情報も考慮して、現在の修正周期内で周期的に放送されるシステム情報において、新規のオンデマンドシステム情報のスケジューリング情報（ＳＩＢ１３の完全なパラメータ配置が含まれる）、および、当該スケジューリング情報に対応しＳＩＢ１３のシステム情報を含むオンデマンドシステム情報応答メッセージを送信する。
ステップ４において、ＵＥ４は、ＳＩＢ１３スケジューリング情報に基づいて、オンデマンドシステム情報応答メッセージを受信する。具体的に、ＵＥ４は、ＳＩ−ＲＮＴＩによってアドレッシングを行ってＳＩＢ１３のシステム情報を取得する。
【０１５２】
例７：
当該例において、待機状態／インアクティブ状態のＵＥがオンデマンドシステム情報リストを受信した場合のオンデマンドシステム情報スケジューリングプロセスを示す。当該例におけるオンデマンドシステム情報リストの場合のオンデマンドシステム情報スケジューリングは、図１０に示され、具体的な動作フローは、以下である。
ステップ１において、待機状態／インアクティブ状態のＵＥ５とＵＥ６は、ネットワーク側から周期的放送で送信されるシステム情報を受信し、オンデマンドシステム情報リスト｛００１１１１１１１１００００００００００｝が含まれ、ネットワーク側からＳＩＢ３〜ＳＩＢ１０が提供されることを指示する。
ステップ２において、ＵＥ５は、自身に必要なシステム情報ＳＩＢ８が含まれるとチェックし、ＵＥ５から送信されるオンデマンドシステム情報リストが｛ＳＩＢ８｝である。ＵＥ６は、自身に必要なシステム情報ＳＩＢ９が含まれるとチェックし、ＵＥ５から送信されるオンデマンドシステム情報リストが｛ＳＩＢ９｝である
ステップ３において、修正周期内でシステム情報が変更可能であるため、オンデマンドシステム情報のスケジューリング情報は、変更可能である。ネットワーク側機器は、ＵＥ５とＵＥ６から送信されるオンデマンドシステム情報要求メッセージに基づいて、自身から提供可能なオンデマンドシステム情報も考慮して、現在の修正周期内で周期的に放送されるシステム情報において、新規のオンデマンドシステム情報のスケジューリング情報（ＳＩＢ８とＳＩＢ９の完全なパラメータ配置が含まれる）、および、当該スケジューリング情報に対応しＳＩＢ８とＳＩＢ９のシステム情報を含むオンデマンドシステム情報応答メッセージを送信する。
ステップ４において、ＵＥ５とＵＥ６は、ＳＩＢ８とＳＩＢ９スケジューリング情報に基づいて、オンデマンドシステム情報応答メッセージを受信する。具体的に、ＵＥ５とＵＥ６は、ＳＩ−ＲＮＴＩによってアドレッシングを行ってＳＩＢ８とＳＩＢ９のシステム情報を取得する。
【０１５３】
図１１を参照する。本開示の実施例は、ユーザ機器を提供する。
図１１に示すように、ユーザ機器１１００は、
ネットワーク側機器から送信されるオンデマンドシステム情報の第１スケジューリング情報を受信することに用いられる第１受信モジュール１１０１と、
前記ネットワーク側機器から送信されるオンデマンドシステム情報を、前記第１スケジューリング情報に基づいて取得することに用いられる第１取得モジュール１１０２を含む。
【０１５４】
選択可能に、前記第１スケジューリング情報は、
前記第１スケジューリング情報に対応するオンデマンドシステム情報を示すシステム情報マッピングテーブル、システム情報周期、システム情報時間ウィンドウ、スタートポイントおよびシステム情報伝送回数のうち、１つまたは複数のパラメータ配置を含む。
【０１５５】
選択可能に、第１受信モジュール１１０１は、前記ネットワーク側機器から周期的に放送されるシステム情報を受信することに用いられる。前記周期的に放送されるシステム情報には、オンデマンドシステム情報の第１スケジューリング情報を含む。
【０１５６】
選択可能に、第１取得モジュール１１０２は、
前記第１スケジューリング情報には所定のパラメータ配置が含まれるのであれば、前記ネットワーク側機器から送信されるオンデマンドシステム情報を、前記第１スケジューリング情報に含まれるパラメータ配置を用いて受信すること、
または、
前記第１スケジューリング情報には所定のパラメータ配置が含まれ、かつ前記第１スケジューリング情報に対応するオンデマンドシステム情報には、前記ユーザ機器に必要なオンデマンドシステム情報が含まれるのであれば、前記ネットワーク側機器から送信されるオンデマンドシステム情報を、前記第１スケジューリング情報に含まれるパラメータ配置を用いて受信することに用いられる。
【０１５７】
選択可能に、図１２に示すように、前記第１取得モジュール１１０２は、
前記第１スケジューリング情報に基づいて、前記ユーザ機器に必要なオンデマンドシステム情報を要求することに用いられるオンデマンドシステム情報要求メッセージの前記ネットワーク側機器への送信が必要であるかを特定することに用いられる特定ユニット１１０２１と、
オンデマンドシステム情報要求メッセージの前記ネットワーク側機器への送信が必要であると特定されたのであれば、オンデマンドシステム情報要求メッセージを前記ネットワーク側機器へ送信することに用いられる送信ユニット１１０２２と、
前記ネットワーク側機器から送信されるオンデマンドシステム情報応答メッセージを受信することに用いられる第１受信ユニット１１０２３とを含む。
【０１５８】
選択可能に、特定ユニット１１０２１は、
前記第１スケジューリング情報に対応するオンデマンドシステム情報には、前記ユーザ機器に必要なオンデマンドシステム情報が含まれるかを判断し、ＮＯであれば、オンデマンドシステム情報要求メッセージの前記ネットワーク側機器への送信が必要であると特定すること、
または、
前記第１スケジューリング情報に含まれるパラメータ配置に第１部分パラメータ配置しか含まれないかを判断し、ＹＥＳであれば、オンデマンドシステム情報要求メッセージの前記ネットワーク側機器への送信が必要であると特定することに用いられる。
【０１５９】
選択可能に、図１３に示すように、第１取得モジュール１１０２は、さらに、
前記ネットワーク側機器から送信されるシステム情報変更指示を受信することに用いられる第２受信ユニット１１０２４と、
前記システム情報変更指示に基づいて、前記ネットワーク側機器から送信されるオンデマンドシステム情報の第２スケジューリング情報を受信することに用いられる第３受信ユニット１１０２５とを含む。
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含む。
第１受信ユニット１１０２３は、前記ネットワーク側機器から送信されるオンデマンドシステム情報応答メッセージを、前記第２スケジューリング情報に含まれるパラメータ配置を用いて受信することに用いられる。
【０１６０】
選択可能に、図１４に示すように、第１取得モジュール１１０２は、さらに、
前記ネットワーク側機器から送信されるオンデマンドシステム情報の第３スケジューリング情報を受信することに用いられる第４受信ユニット１１０２６を含む。
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含む。
第１受信ユニット１１０２３は、前記ネットワーク側機器から送信されるオンデマンドシステム情報応答メッセージを、前記第３スケジューリング情報に含まれるパラメータ配置を用いて受信することに用いられる。
【０１６１】
選択可能に、図１５に示すように、第１取得モジュール１１０２は、さらに、
前記ネットワーク側機器から送信されるオンデマンドシステム情報の第４スケジューリング情報を受信することに用いられる第５受信ユニット１１０２７を含む。
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含む。
第１受信ユニット１１０２３は、前記第１スケジューリング情報に含まれるパラメータ配置に第１部分パラメータ配置が含まれるのであれば、前記ネットワーク側機器から送信されるオンデマンドシステム情報応答メッセージを、前記第１部分パラメータ配置と前記第２部分パラメータ配置を用いて受信することに用いられる。
【０１６２】
選択可能に、図１６に示すように、第１取得モジュール１１０２は、さらに、
前記ネットワーク側機器から送信される伝送指示を受信することに用いられる第６受信ユニット１１０２８を含む。
ここで、前記伝送指示は、前記第１スケジューリング情報に基づいたシステム情報応答メッセージの送信を指示することに用いられる。
前記第１受信ユニット１１０２３は、前記ネットワーク側機器から送信されるオンデマンドシステム情報応答メッセージを、前記第１スケジューリング情報に含まれるパラメータ配置を用いて受信することに用いられる。
【０１６３】
選択可能に、前記送信ユニットは、さらに、前記ネットワーク側機器によって変更されたオンデマンドシステム情報には、前記ユーザ機器に必要なオンデマンドシステム情報のすべてまたは一部が含まれないことを、前記ユーザ機器が前記システム情報変更指示に基づいて特定したのであれば、オンデマンドシステム情報要求メッセージを再度送信することに用いられる。
【０１６４】
選択可能に、前記送信ユニットは、さらに、
前記システム情報応答メッセージには、前記ユーザ機器に必要なオンデマンドシステム情報のすべてまたは一部が含まれないのであれば、オンデマンドシステム情報要求メッセージを再度送信すること、
または、
前記第１受信ユニットが前記システム情報応答メッセージを事前定義時間または事前設定時間内に受信しなかったのであれば、オンデマンドシステム情報要求メッセージを再度送信することに用いられる。
【０１６５】
選択可能に、図１７に示すように、前記ユーザ機器１１００は、
前記ネットワーク側機器によるオンデマンドシステム情報提供の指示情報を前記ネットワーク側機器から受信することに用いられる第２受信モジュール１１０３と、
前記ユーザ機器に必要なオンデマンドシステム情報を要求することに用いられるオンデマンドシステム情報要求メッセージを、前記指示情報に基づいて前記ネットワーク側機器に送信することに用いられる送信モジュール１１０４とをさらに含む。
第１受信モジュール１１０１は、前記ネットワーク側機器から送信される前記ユーザ機器に必要なオンデマンドシステム情報の第１スケジューリング情報を受信することに用いられる。
第１取得モジュール１１０２は、前記ネットワーク側機器から送信されるオンデマンドシステム情報応答メッセージを、前記第１スケジューリング情報に含まれるパラメータ配置を用いて受信することに用いられる。
【０１６６】
選択可能に、前記指示情報は、前記ネットワーク側機器からオンデマンドシステム情報が提供されるかを指示することに用いられる。または、前記指示情報は、前記ネットワーク側機器から提供されるオンデマンドシステム情報のシステム情報リストを含む。
前記送信モジュール１１０４は、
前記指示情報によって、前記ネットワーク側機器からオンデマンドシステム情報が提供されると指示するのであれば、オンデマンドシステム情報要求メッセージを前記ネットワーク側機器に送信すること、
または、
システム情報リストに指示されるオンデマンドシステム情報には、前記ユーザ機器に必要なオンデマンドシステム情報が含まれるのであれば、オンデマンドシステム情報要求メッセージを前記ネットワーク側機器に送信することに用いられる。
【０１６７】
選択可能に、送信ユニット１１０２２は、
ランダムアクセスプロセスのＭｓｇ３によってオンデマンドシステム情報要求メッセージを前記ネットワーク側機器に送信すること、
または、
ＲＲＣメッセージによってオンデマンドシステム情報要求メッセージを前記ネットワーク側機器に送信すること、
または、
ＭＡＣ  ＣＥによってオンデマンドシステム情報要求メッセージを前記ネットワーク側機器に送信することに用いられる。
【０１６８】
選択可能に、図１８に示すように、ユーザ機器１１００は、
アップリンク信号とオンデマンドシステム情報とのマッピング関係情報を取得することに用いられる第２取得モジュール１１０５をさらに含む。
送信ユニット１１０２２は、前記ユーザ機器に必要なオンデマンドシステム情報とはマッピング関係が存在するアップリンク信号を前記ネットワーク側機器に送信することに用いられる。
【０１６９】
なお、本実施例における上記ユーザ機器５００は、本開示の実施例の方法実施例における任意の実施形態のユーザ機器であってもよい。本開示の実施例の方法実施例におけるユーザ機器の任意の実施形態は、いずれも本実施例における上記ユーザ機器５００によって実現され、同一の有益な効果を奏することができる。よって、ここでは繰り返して記載しない。
【０１７０】
図１９を参照する。本開示の実施例は、ネットワーク側機器を提供する。
図１９に示すように、ネットワーク側機器１９００は、
ユーザ機器にオンデマンドシステム情報の第１スケジューリング情報を送信することに用いられる第１送信モジュール１９０１と、
前記ユーザ機器にオンデマンドシステム情報を送信することに用いられる第２送信モジュール１９０２とを含む。
【０１７１】
選択可能に、前記第１スケジューリング情報は、
前記第１スケジューリング情報に対応するオンデマンドシステム情報を示すシステム情報マッピングテーブル、システム情報周期、システム情報時間ウィンドウ、スタートポイントおよびシステム情報伝送回数のうち、１つまたは複数のパラメータ配置を含む。
【０１７２】
選択可能に、第１送信モジュール１９０１は、システム情報を周期的に放送することに用いられる。
前記周期的に放送されるシステム情報には、オンデマンドシステム情報の第１スケジューリング情報を含む。
【０１７３】
選択可能に、図２０に示すように、ネットワーク側機器１９００は、
前記ユーザ機器から送信されるオンデマンドシステム情報要求メッセージを受信することに用いられる第１受信モジュール１９０３をさらに含む。
ここで、前記オンデマンドシステム情報要求メッセージは、前記ユーザ機器に必要なオンデマンドシステム情報を要求することに用いられる。
第２送信モジュール１９０２は、オンデマンドシステム情報応答メッセージを前記ユーザ機器に送信することに用いられる。
【０１７４】
選択可能に、図２１に示すように、ネットワーク側機器１９００は、
システム情報変更指示を前記ユーザ機器に送信することに用いられる第３送信モジュール１９０４と、
オンデマンドシステム情報の第２スケジューリング情報を前記ユーザ機器に送信することに用いられる第４送信モジュール１９０５とをさらに含む。
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含む。
第２送信モジュール１９０２は、前記第２スケジューリング情報に含まれるパラメータ配置に基づいて、オンデマンドシステム情報応答メッセージを前記ユーザ機器に送信することに用いられる。
【０１７５】
選択可能に、図２２に示すように、ネットワーク側機器１９００は、
オンデマンドシステム情報の第３スケジューリング情報を前記ユーザ機器に送信することに用いられる第５送信モジュール１９０６をさらに含む。
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含む。
第２送信モジュール１９０２は、前記第３スケジューリング情報に含まれるパラメータ配置に基づいて、オンデマンドシステム情報応答メッセージを前記ユーザ機器に送信することに用いられる。
【０１７６】
選択可能に、図２３に示すように、ネットワーク側機器１９００は、
前記第１スケジューリング情報に含まれるパラメータ配置に第１部分パラメータ配置しか含まれないのであれば、オンデマンドシステム情報の第４スケジューリング情報を前記ユーザ機器に送信することに用いられる第６送信モジュール１９０７をさらに含む。
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含む。
前記第２送信モジュール１９０２は、前記第１部分パラメータ配置と前記第２部分パラメータ配置に基づいて、オンデマンドシステム情報応答メッセージを前記ユーザ機器に送信することに用いられる。
【０１７７】
選択可能に、図２４に示すように、ネットワーク側機器１９００は、
前記第１スケジューリング情報に基づいたシステム情報応答メッセージの送信を指示することに用いられる伝送指示を前記ユーザ機器に送信することに用いられる第７送信モジュール１９０８をさらに含む。
第２送信モジュール１９０２は、前記第１スケジューリング情報に含まれるパラメータ配置に基づいて、オンデマンドシステム情報応答メッセージを前記ユーザ機器に送信することに用いられる。
【０１７８】
選択可能に、図２５に示すように、ネットワーク側機器１９００は、
前記ネットワーク側機器によるオンデマンドシステム情報提供の指示情報を前記ユーザ機器に送信することに用いられる第８送信モジュール１９０９と、
前記ユーザ機器から前記指示情報に基づいて送信されるオンデマンドシステム情報要求メッセージを受信することに用いられる第２受信モジュール１９０１０をさらに含む。
ここで、前記オンデマンドシステム情報要求メッセージは、前記ユーザ機器に必要な前記オンデマンドシステム情報を要求することに用いられる。
前記第１送信モジュール１９０１は、ユーザ機器に対し、前記ユーザ機器に必要なオンデマンドシステム情報の第１スケジューリング情報を送信することに用いられる。
前記第２送信モジュール１９０２は、前記第１スケジューリング情報に含まれるパラメータ配置に基づいて、オンデマンドシステム情報応答メッセージを前記ユーザ機器に送信することに用いられる。
【０１７９】
選択可能に、前記指示情報は、前記ネットワーク側機器からオンデマンドシステム情報が提供されるかを指示することに用いられる。または、前記指示情報は、前記ネットワーク側機器から提供されるオンデマンドシステム情報のシステム情報リストを含む。
【０１８０】
選択可能に、第１受信モジュール１９０３は、
前記ユーザ機器からランダムアクセスプロセスのＭｓｇ３によって送信されるオンデマンドシステム情報要求メッセージを受信すること、
または、
前記ユーザ機器からＲＲＣメッセージによって送信されるオンデマンドシステム情報要求メッセージを受信すること、
または、
前記ユーザ機器からＭＡＣ  ＣＥによって送信されるオンデマンドシステム情報要求メッセージを受信することに用いられる。
【０１８１】
選択可能に、図２６に示すように、ネットワーク側機器１９００は、
アップリンク信号とオンデマンドシステム情報とのマッピング関係情報を前記ユーザ機器に送信することに用いられる第９送信モジュール１９０１１をさらに含む。
前記第１受信モジュール１９０３は、前記ユーザ機器に必要なオンデマンドシステム情報とはマッピング関係が存在するアップリンク信号を前記ユーザ機器から受信することに用いられる。
【０１８２】
なお、本実施例における上記ネットワーク側機器１９００は、本開示の実施例の方法実施例における任意の実施形態のネットワーク側機器であってもよい。本開示の実施例の方法実施例におけるネットワーク側機器の任意の実施形態は、いずれも本実施例における上記ネットワーク側機器１９００によって実現され、同一の有益な効果を奏することができる。よって、ここでは繰り返して記載しない。
【０１８３】
図２７を参照する。本開示の実施例は、ユーザ機器の別構造を提供する。
当該ユーザ機器は、プロセッサ２７００と、プロセッサ２７００による制御でデータを送受信することに用いられるトランシーバ２７１０と、メモリ２７２０と、ユーザインタフェース２７３０と、バスインタフェースとを含む。
プロセッサ２７００は、メモリ２７２０からプログラムを読み取ることによって、
ネットワーク側機器から送信されるオンデマンドシステム情報（ｏｎ−ｄｅｍａｎｄ  ＳＩ）の第１スケジューリング情報をトランシーバ２７１０で受信するプロセスと、
トランシーバ２７１０で、前記ネットワーク側機器から送信されるオンデマンドシステム情報を前記第１スケジューリング情報に基づいて取得するプロセスを実行することに用いられる。
【０１８４】
図２７において、バスアーキテクチャは、任意数の相互接続するバスとブリッジを含み、具体的に、プロセッサ２７００をはじめとする１つ又は複数のプロセッサとメモリ２７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ２７１０は、複数の部品であってもよく、即ち送信機と受信機を含み、伝送媒体でほかの各種類の装置と通信するユニットとして提供される。ユーザ端末によっては、ユーザインタフェース２７３０は、内部接続や外部接続する機器のインタフェースであってもよい。接続する機器は、キーパッド、ディスプレイ、スピーカ、マイクロフォン、ジョイスティックなどを含むが、それらに限られない。
【０１８５】
プロセッサ２７００は、バスアーキテクチャと通常の処理を管理する。メモリ２７２０は、プロセッサ２７００による操作実行に使用されるデータの記憶が可能である。
【０１８６】
選択可能に、前記第１スケジューリング情報は、
前記第１スケジューリング情報に対応するオンデマンドシステム情報を示すシステム情報マッピングテーブル、システム情報周期、システム情報時間ウィンドウ、スタートポイントおよびシステム情報伝送回数のうち、１つまたは複数のパラメータ配置を含む。
【０１８７】
選択可能に、ネットワーク側機器から送信されるオンデマンドシステム情報の第１スケジューリング情報を受信することは、
前記ネットワーク側機器から周期的に放送されるシステム情報を受信することを含む。前記周期的に放送されるシステム情報には、オンデマンドシステム情報の第１スケジューリング情報を含む。
【０１８８】
選択可能に、前記ネットワーク側機器から送信されるオンデマンドシステム情報を前記第１スケジューリング情報に基づいて取得することは、
前記第１スケジューリング情報には所定のパラメータ配置が含まれるのであれば、トランシーバ２７１０で、前記ネットワーク側機器から送信されるオンデマンドシステム情報を、前記第１スケジューリング情報に含まれるパラメータ配置を用いて受信すること、
または、
前記第１スケジューリング情報には所定のパラメータ配置が含まれ、かつ前記第１スケジューリング情報に対応するオンデマンドシステム情報には、前記ユーザ機器に必要なオンデマンドシステム情報が含まれるのであれば、トランシーバ２７１０で、前記ネットワーク側機器から送信されるオンデマンドシステム情報を、前記第１スケジューリング情報に含まれるパラメータ配置を用いて受信することを含む。
【０１８９】
選択可能に、前記ネットワーク側機器から送信されるオンデマンドシステム情報を前記第１スケジューリング情報に基づいて取得することは、
前記第１スケジューリング情報に基づいて、前記ユーザ機器に必要なオンデマンドシステム情報を要求することに用いられるオンデマンドシステム情報要求メッセージの前記ネットワーク側機器への送信が必要であるかを特定することと、
オンデマンドシステム情報要求メッセージの前記ネットワーク側機器への送信が必要であると特定したのであれば、トランシーバ２７１０で、オンデマンドシステム情報要求メッセージを前記ネットワーク側機器へ送信することと、
トランシーバ２７１０で、前記ネットワーク側機器から送信されるオンデマンドシステム情報応答メッセージを受信することとを含む。
【０１９０】
選択可能に、前記第１スケジューリング情報に基づいて、オンデマンドシステム情報要求メッセージの前記ネットワーク側機器への送信が必要であるかを特定することは、
前記第１スケジューリング情報に対応するオンデマンドシステム情報には、前記ユーザ機器に必要なオンデマンドシステム情報が含まれるかを判断し、ＮＯであれば、オンデマンドシステム情報要求メッセージの前記ネットワーク側機器への送信が必要であると特定すること、
または、
前記第１スケジューリング情報に含まれるパラメータ配置に第１部分パラメータ配置しか含まれないかを判断し、ＹＥＳであれば、オンデマンドシステム情報要求メッセージの前記ネットワーク側機器への送信が必要であると特定することを含む。
【０１９１】
選択可能に、前記ネットワーク側機器から送信されるオンデマンドシステム情報を前記第１スケジューリング情報に基づいて取得することは、さらに、
トランシーバ２７１０で、前記ネットワーク側機器から送信されるシステム情報変更指示を受信することと、
トランシーバ２７１０で、前記システム情報変更指示に基づいて、前記ネットワーク側機器から送信されるオンデマンドシステム情報の第２スケジューリング情報を受信することとを含む。
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含む。
前記ネットワーク側機器から送信されるオンデマンドシステム情報応答メッセージを受信することは、
前記ネットワーク側機器から送信されるオンデマンドシステム情報応答メッセージを、前記第２スケジューリング情報に含まれるパラメータ配置を用いて受信することを含む。
【０１９２】
選択可能に、前記ネットワーク側機器から送信されるオンデマンドシステム情報を前記第１スケジューリング情報に基づいて取得することは、さらに、
トランシーバ２７１０で、前記ネットワーク側機器から送信されるオンデマンドシステム情報の第３スケジューリング情報を受信することを含む。
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含む。
ネットワーク側機器から送信されるオンデマンドシステム情報応答メッセージを受信することは、
前記ネットワーク側機器から送信されるオンデマンドシステム情報応答メッセージを、前記第３スケジューリング情報に含まれるパラメータ配置を用いて受信することを含む。
【０１９３】
選択可能に、前記ネットワーク側機器から送信されるオンデマンドシステム情報を前記第１スケジューリング情報に基づいて取得することは、さらに、
トランシーバ２７１０で、前記ネットワーク側機器から送信されるオンデマンドシステム情報の第４スケジューリング情報を受信することを含む。
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含む。
前記ネットワーク側機器から送信されるオンデマンドシステム情報応答メッセージを受信することは、
前記第１スケジューリング情報に含まれるパラメータ配置に第１部分パラメータ配置が含まれるのであれば、前記ユーザ機器が、前記ネットワーク側機器から送信されるオンデマンドシステム情報応答メッセージを、前記第１部分パラメータ配置と前記第２部分パラメータ配置を用いて受信することを含む。
【０１９４】
選択可能に、前記ネットワーク側機器から送信されるオンデマンドシステム情報を前記第１スケジューリング情報に基づいて取得することは、さらに、
トランシーバ２７１０で、前記ネットワーク側機器から送信される伝送指示を受信することを含む。
ここで、前記伝送指示は、前記第１スケジューリング情報に基づいたシステム情報応答メッセージの送信を指示することに用いられる。
前記ネットワーク側機器から送信されるオンデマンドシステム情報応答メッセージを受信することは、
前記ネットワーク側機器から送信されるオンデマンドシステム情報応答メッセージを、前記第１スケジューリング情報に含まれるパラメータ配置を用いて受信することを含む。
【０１９５】
選択可能に、プロセッサ２７００は、さらに、
前記ネットワーク側機器によって変更されたオンデマンドシステム情報には、前記ユーザ機器に必要なオンデマンドシステム情報のすべてまたは一部が含まれないことを、前記ユーザ機器が前記システム情報変更指示に基づいて特定したのであれば、トランシーバ２７１０で、オンデマンドシステム情報要求メッセージを再度送信することに用いられる。
【０１９６】
選択可能に、プロセッサ２７００は、さらに、
前記システム情報応答メッセージには、前記ユーザ機器に必要なオンデマンドシステム情報のすべてまたは一部が含まれないのであれば、トランシーバ２７１０で、オンデマンドシステム情報要求メッセージを再度送信すること、
または、
前期ユーザ機器が前記システム情報応答メッセージを事前定義時間または事前設定時間内に受信しなかったのであれば、トランシーバ２７１０で、オンデマンドシステム情報要求メッセージを再度送信することに用いられる。
【０１９７】
選択可能に、プロセッサ２７００は、さらに、
トランシーバ２７１０で、前記ネットワーク側機器によるオンデマンドシステム情報提供の指示情報を前記ネットワーク側機器から受信することと、
トランシーバ２７１０で、前記ユーザ機器に必要なオンデマンドシステム情報を要求することに用いられるオンデマンドシステム情報要求メッセージを、前記指示情報に基づいて前記ネットワーク側機器に送信することとに用いられる。
ネットワーク側機器から送信されるオンデマンドシステム情報の第１スケジューリング情報を受信することは、
ネットワーク側機器から送信される前記ユーザ機器に必要なオンデマンドシステム情報の第１スケジューリング情報を受信することを含む。
前記ネットワーク側機器から送信されるオンデマンドシステム情報を前記第１スケジューリング情報に基づいて取得することは、
前記ネットワーク側機器から送信されるオンデマンドシステム情報応答メッセージを、前記第１スケジューリング情報に含まれるパラメータ配置を用いて受信することを含む。
【０１９８】
選択可能に、前記指示情報は、前記ネットワーク側機器からオンデマンドシステム情報が提供されるかを指示することに用いられる。または、前記指示情報は、前記ネットワーク側機器から提供されるオンデマンドシステム情報のシステム情報リストを含む。
オンデマンドシステム情報要求メッセージを、前記指示情報に基づいて前記ネットワーク側機器に送信することは、
前記指示情報によって、前記ネットワーク側機器からオンデマンドシステム情報が提供されると指示するのであれば、オンデマンドシステム情報要求メッセージを前記ネットワーク側機器に送信すること、
または、
システム情報リストに指示されるオンデマンドシステム情報には、前記ユーザ機器に必要なオンデマンドシステム情報が含まれるのであれば、オンデマンドシステム情報要求メッセージを前記ネットワーク側機器に送信することを含む。
【０１９９】
選択可能に、オンデマンドシステム情報要求メッセージを前記ネットワーク側機器に送信することは、
ランダムアクセスプロセスのＭｓｇ３によってオンデマンドシステム情報要求メッセージを前記ネットワーク側機器に送信すること、
または、
ＲＲＣメッセージによってオンデマンドシステム情報要求メッセージを前記ネットワーク側機器に送信すること、
または、
ＭＡＣ  ＣＥによってオンデマンドシステム情報要求メッセージを前記ネットワーク側機器に送信することを含む。
【０２００】
選択可能に、プロセッサ２７００は、さらに、
アップリンク信号とオンデマンドシステム情報とのマッピング関係情報を取得することに用いられる。
オンデマンドシステム情報要求メッセージを前記ネットワーク側機器に送信することは、
前記ユーザ機器に必要なオンデマンドシステム情報とはマッピング関係が存在するアップリンク信号を前記ネットワーク側機器に送信することを含む。
【０２０１】
なお、本実施例における上記ユーザ機器は、本開示の実施例の方法実施例における任意の実施形態のユーザ機器であってもよい。本開示の実施例の方法実施例におけるユーザ機器の任意の実施形態は、いずれも本実施例における上記ユーザ機器によって実現され、同一の有益な効果を奏することができる。よって、ここでは繰り返して記載しない。
【０２０２】
図２８を参照する。図には、プロセッサ２８００と、プロセッサ２８００による制御でデータを送受信することに用いられるトランシーバ２８１０と、メモリ２８２０と、ユーザインタフェース２８３０と、バスインタフェースとを含むネットワーク側機器の構造が示されている。
プロセッサ２８００は、メモリ２８２０からプログラムを読み取ることによって、
トランシーバ２８１０で、ユーザ機器にオンデマンドシステム情報の第１スケジューリング情報を送信するプロセスと、
トランシーバ２８１０で、前記ユーザ機器にオンデマンドシステム情報を送信するプロセスとを実行することに用いられる。
【０２０３】
図２８において、バスアーキテクチャは、任意数の相互接続するバスとブリッジを含み、具体的に、プロセッサ２８００をはじめとする１つ又は複数のプロセッサとメモリ２８２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ２８１０は、複数の部品であってもよく、即ち送信機と受信機を含み、伝送媒体でほかの各種類の装置と通信するユニットとして提供される。ユーザ端末によっては、ユーザインタフェース２８３０は、内部接続や外部接続する機器のインタフェースであってもよい。接続する機器は、キーパッド、ディスプレイ、スピーカ、マイクロフォン、ジョイスティックなどを含むが、それらに限られない。
【０２０４】
プロセッサ２８００は、バスアーキテクチャと通常の処理を管理する。メモリ２８２０は、プロセッサ２８００による操作実行に使用されるデータの記憶が可能である。
【０２０５】
選択可能に、前記第１スケジューリング情報は、
前記第１スケジューリング情報に対応するオンデマンドシステム情報を示すシステム情報マッピングテーブル、システム情報周期、システム情報時間ウィンドウ、スタートポイントおよびシステム情報伝送回数のうち、１つまたは複数のパラメータ配置を含む。
【０２０６】
選択可能に、ユーザ機器にオンデマンドシステム情報の第１スケジューリング情報を送信することは、
システム情報を周期的に放送することを含む。前記周期的に放送されるシステム情報には、オンデマンドシステム情報の第１スケジューリング情報を含む。
【０２０７】
選択可能に、プロセッサ２８００は、さらに、
トランシーバ２８１０で、前記ユーザ機器から送信されるオンデマンドシステム情報要求メッセージを受信することに用いられる。
ここで、前記オンデマンドシステム情報要求メッセージは、前記ユーザ機器に必要な前記オンデマンドシステム情報を要求することに用いられる。
前記ユーザ機器にオンデマンドシステム情報を送信することは、オンデマンドシステム情報応答メッセージを前記ユーザ機器に送信することを含む。
【０２０８】
選択可能に、プロセッサ２８００は、さらに、
トランシーバ２８１０で、システム情報変更指示を前記ユーザ機器に送信することと、
トランシーバ２８１０で、オンデマンドシステム情報の第２スケジューリング情報を前記ユーザ機器に送信することとに用いられる。
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含む。
オンデマンドシステム情報応答メッセージを前記ユーザ機器に送信することは、
前記第２スケジューリング情報に含まれるパラメータ配置に基づいて、オンデマンドシステム情報応答メッセージを前記ユーザ機器に送信することを含む。
【０２０９】
選択可能に、プロセッサ２８００は、さらに、
オンデマンドシステム情報の第３スケジューリング情報を前記ユーザ機器に送信することに用いられる。
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含む。
オンデマンドシステム情報応答メッセージを前記ユーザ機器に送信することは、
前記第３スケジューリング情報に含まれるパラメータ配置に基づいて、オンデマンドシステム情報応答メッセージを前記ユーザ機器に送信することを含む。
【０２１０】
選択可能に、プロセッサ２８００は、さらに、
前記第１スケジューリング情報に含まれるパラメータ配置に第１部分パラメータ配置しか含まれないのであれば、トランシーバ２８１０で、オンデマンドシステム情報の第４スケジューリング情報を前記ユーザ機器に送信することに用いられる。
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含む。
オンデマンドシステム情報応答メッセージを前記ユーザ機器に送信することは、
前記第１部分パラメータ配置と前記第２部分パラメータ配置に基づいて、オンデマンドシステム情報応答メッセージを前記ユーザ機器に送信することを含む。
【０２１１】
選択可能に、プロセッサ２８００は、さらに、
トランシーバ２８１０で、前記第１スケジューリング情報に基づいたシステム情報応答メッセージの送信を指示することに用いられる伝送指示を前記ユーザ機器に送信することに用いられる。
オンデマンドシステム情報応答メッセージを前記ユーザ機器に送信することは、
前記第１スケジューリング情報に含まれるパラメータ配置に基づいて、オンデマンドシステム情報応答メッセージを前記ユーザ機器に送信することを含む。
【０２１２】
選択可能に、プロセッサ２８００は、さらに、
トランシーバ２８１０で、前記ネットワーク側機器によるオンデマンドシステム情報提供の指示情報を前記ユーザ機器に送信することと、
トランシーバ２８１０で、前記ユーザ機器から前記指示情報に基づいて送信されるオンデマンドシステム情報要求メッセージを受信することに用いられる。
ここで、前記オンデマンドシステム情報要求メッセージは、前記ユーザ機器に必要な前記オンデマンドシステム情報を要求することに用いられる。
ユーザ機器にオンデマンドシステム情報の第１スケジューリング情報を送信することは、
ユーザ機器に対し、前記ユーザ機器に必要なオンデマンドシステム情報の第１スケジューリング情報を送信することを含む。
前記ユーザ機器にオンデマンドシステム情報を送信することは、
前記第１スケジューリング情報に含まれるパラメータ配置に基づいて、オンデマンドシステム情報応答メッセージを前記ユーザ機器に送信することを含む。
【０２１３】
選択可能に、前記指示情報は、前記ネットワーク側機器からオンデマンドシステム情報が提供されるかを指示することに用いられる。または、前記指示情報は、前記ネットワーク側機器から提供されるオンデマンドシステム情報のシステム情報リストを含む。
【０２１４】
選択可能に、ユーザ機器から送信されるオンデマンドシステム情報要求メッセージを受信することは、
前記ユーザ機器からランダムアクセスプロセスのＭｓｇ３によって送信されるオンデマンドシステム情報要求メッセージを受信すること、
または、
前記ユーザ機器からＲＲＣメッセージによって送信されるオンデマンドシステム情報要求メッセージを受信すること、
または、
前記ユーザ機器からＭＡＣ  ＣＥによって送信されるオンデマンドシステム情報要求メッセージを受信することを含む。
【０２１５】
選択可能に、プロセッサ２８００は、さらに、
アップリンク信号とオンデマンドシステム情報とのマッピング関係情報を前記ユーザ機器に送信することに用いられる。
ユーザ機器から送信されるオンデマンドシステム情報要求メッセージを受信することは、
前記ユーザ機器に必要なオンデマンドシステム情報とはマッピング関係が存在するアップリンク信号を前記ユーザ機器から受信することを含む。
【０２１６】
なお、本実施例における上記ネットワーク側機器は、本開示の実施例の方法実施例における任意の実施形態のネットワーク側機器であってもよい。本開示の実施例の方法実施例におけるネットワーク側機器の任意の実施形態は、いずれも本実施例における上記ネットワーク側機器によって実現され、同一の有益な効果を奏することができる。よって、ここでは繰り返して記載しない。
【０２１７】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０２１８】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０２１９】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記の記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０２２０】
以上の記載は、本開示の好適な実施形態である。なお、当業者にとって、本開示に記載した原理を逸脱することなくいくつかの改良や修飾を行うこともできる。これらの改良や修飾も、本開示の保護範囲として見なされるべきである。
【図１】
2019533375.tif 000003
【図２】
2019533375.tif 000004
【図３】
2019533375.tif 000005
【図４】
2019533375.tif 000006
【図５】
2019533375.tif 000007
【図６】
2019533375.tif 000008
【図７】
2019533375.tif 000009
【図８】
2019533375.tif 000010
【図９】
2019533375.tif 000011
【図１０】
2019533375.tif 000012
【図１１】
2019533375.tif 000013
【図１２】
2019533375.tif 000014
【図１３】
2019533375.tif 000015
【図１４】
2019533375.tif 000016
【図１５】
2019533375.tif 000017
【図１６】
2019533375.tif 000018
【図１７】
2019533375.tif 000019
【図１８】
2019533375.tif 000020
【図１９】
2019533375.tif 000021
【図２０】
2019533375.tif 000022
【図２１】
2019533375.tif 000023
【図２２】
2019533375.tif 000024
【図２３】
2019533375.tif 000025
【図２４】
2019533375.tif 000026
【図２５】
2019533375.tif 000027
【図２６】
2019533375.tif 000028
【図２７】
2019533375.tif 000029
【図２８】
2019533375.tif 000030
【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
ユーザ機器が、ネットワーク側機器から送信されるオンデマンドシステム情報の第１スケジューリング情報を受信することと、
前記ユーザ機器が、前記ネットワーク側機器から送信される前記オンデマンドシステム情報を、前記第１スケジューリング情報に基づいて取得することとを含むシステム情報取得方法。
【請求項２】
前記第１スケジューリング情報は、
前記第１スケジューリング情報に対応する前記オンデマンドシステム情報を示すシステム情報マッピングテーブル、システム情報周期、システム情報時間ウィンドウ、スタートポイントおよびシステム情報伝送回数のうち、１つまたは複数のパラメータ配置を含む請求項１に記載の方法。
【請求項３】
前記ユーザ機器が、ネットワーク側機器から送信されるオンデマンドシステム情報の第１スケジューリング情報を受信することは、
前記ユーザ機器が、前記ネットワーク側機器から周期的に放送されるシステム情報を受信することを含み、
前記周期的に放送されるシステム情報には、前記オンデマンドシステム情報の第１スケジューリング情報を含む請求項１に記載の方法。
【請求項４】
前記ユーザ機器が、前記ネットワーク側機器から送信される前記オンデマンドシステム情報を前記第１スケジューリング情報に基づいて取得することは、
前記第１スケジューリング情報には所定のパラメータ配置が含まれるのであれば、前記ユーザ機器が、前記ネットワーク側機器から送信される前記オンデマンドシステム情報を、前記第１スケジューリング情報に含まれるパラメータ配置を用いて受信すること、
または、
前記第１スケジューリング情報には所定のパラメータ配置が含まれ、かつ前記第１スケジューリング情報に対応するオンデマンドシステム情報には、前記ユーザ機器に必要なオンデマンドシステム情報が含まれるのであれば、前記ユーザ機器が、前記ネットワーク側機器から送信される前記オンデマンドシステム情報を、前記第１スケジューリング情報に含まれるパラメータ配置を用いて受信することを含む請求項１〜３のいずれか一項に記載の方法。
【請求項５】
前記ユーザ機器が、前記ネットワーク側機器から送信される前記オンデマンドシステム情報を前記第１スケジューリング情報に基づいて取得することは、
前記ユーザ機器が、前記第１スケジューリング情報に基づいて、前記ユーザ機器に必要なオンデマンドシステム情報を要求することに用いられるオンデマンドシステム情報要求メッセージの前記ネットワーク側機器への送信が必要であるかを特定することと、
前記オンデマンドシステム情報要求メッセージの前記ネットワーク側機器への送信が必要であると特定したのであれば、前記ユーザ機器が、前記オンデマンドシステム情報要求メッセージを前記ネットワーク側機器へ送信することと、
前記ユーザ機器が、前記ネットワーク側機器から送信されるオンデマンドシステム情報応答メッセージを受信することとを含み、
前記ユーザ機器が、前記オンデマンドシステム情報要求メッセージを前記ネットワーク側機器に送信することは、
前記ユーザ機器が、ランダムアクセスプロセスのメッセージＭｓｇ３によって、前記オンデマンドシステム情報要求メッセージを前記ネットワーク側機器に送信すること、
または、
前記ユーザ機器が、無線リソース制御ＲＲＣメッセージによって、前記オンデマンドシステム情報要求メッセージを前記ネットワーク側機器に送信すること、
または、
前記ユーザ機器が、メディアアクセス制御ＭＡＣ制御エレメントＣＥによって、前記オンデマンドシステム情報要求メッセージを前記ネットワーク側機器に送信することを含む請求項１〜３のいずれか一項に記載の方法。
【請求項６】
前記ユーザ機器が、前記第１スケジューリング情報に基づいて、前記オンデマンドシステム情報要求メッセージの前記ネットワーク側機器への送信が必要であるかを特定することは、
前記ユーザ機器が、前記第１スケジューリング情報に対応するオンデマンドシステム情報には、前記ユーザ機器に必要なオンデマンドシステム情報が含まれるかを判断し、ＮＯであれば、前記オンデマンドシステム情報要求メッセージの前記ネットワーク側機器への送信が必要であると特定すること、
または、
前記ユーザ機器が、前記第１スケジューリング情報に含まれるパラメータ配置に第１部分パラメータ配置しか含まれないかを判断し、ＹＥＳであれば、前記オンデマンドシステム情報要求メッセージの前記ネットワーク側機器への送信が必要であると特定することを含む請求項５に記載の方法。
【請求項７】
前記ユーザ機器が、前記ネットワーク側機器から送信される前記オンデマンドシステム情報を前記第１スケジューリング情報に基づいて取得することは、さらに、
前記ユーザ機器が、前記ネットワーク側機器から送信されるシステム情報変更指示を受信することと、
前記ユーザ機器が、前記システム情報変更指示に基づいて、前記ネットワーク側機器から送信される前記オンデマンドシステム情報の第２スケジューリング情報を受信することとを含み、
ここで、前記第２スケジューリング情報に対応するオンデマンドシステム情報には、前記ユーザ機器に必要なオンデマンドシステム情報を含み、かつ前記第２スケジューリング情報は、所定のパラメータ配置を含み、
前記ユーザ機器が、前記ネットワーク側機器から送信されるオンデマンドシステム情報応答メッセージを受信することは、
前記ユーザ機器が、前記ネットワーク側機器から送信される前記オンデマンドシステム情報応答メッセージを、前記第２スケジューリング情報に含まれるパラメータ配置を用いて受信することを含み、
前記方法において、
前記ネットワーク側機器によって変更されたオンデマンドシステム情報には、前記ユーザ機器に必要なオンデマンドシステム情報のすべてまたは一部が含まれないことを、前記ユーザ機器が前記システム情報変更指示に基づいて特定したのであれば、前記ユーザ機器が、オンデマンドシステム情報要求メッセージを再度送信することをさらに含む請求項５に記載の方法。
【請求項８】
前記ユーザ機器が、前記ネットワーク側機器から送信される前記オンデマンドシステム情報を前記第１スケジューリング情報に基づいて取得することは、さらに、
前記ユーザ機器が、前記ネットワーク側機器から送信される前記オンデマンドシステム情報の第３スケジューリング情報を受信することを含み、
ここで、前記第３スケジューリング情報に対応するオンデマンドシステム情報には、前記ユーザ機器に必要なオンデマンドシステム情報を含み、かつ前記第３スケジューリング情報は、所定のパラメータ配置を含み、
前記ユーザ機器が、前記ネットワーク側機器から送信されるオンデマンドシステム情報応答メッセージを受信することは、
前記ユーザ機器が、前記ネットワーク側機器から送信されるオンデマンドシステム情報応答メッセージを、前記第３スケジューリング情報に含まれるパラメータ配置を用いて受信することを含む請求項５に記載の方法。
【請求項９】
前記ユーザ機器が、前記ネットワーク側機器から送信される前記オンデマンドシステム情報を前記第１スケジューリング情報に基づいて取得することは、さらに、
前記ユーザ機器が、前記ネットワーク側機器から送信される前記オンデマンドシステム情報の第４スケジューリング情報を受信することを含み、
ここで、前記第４スケジューリング情報に対応するオンデマンドシステム情報には、前記ユーザ機器に必要なオンデマンドシステム情報を含み、かつ前記第４スケジューリング情報は、第２部分パラメータ配置を含み、
前記ユーザ機器が、前記ネットワーク側機器から送信されるオンデマンドシステム情報応答メッセージを受信することは、
前記第１スケジューリング情報に含まれるパラメータ配置に第１部分パラメータ配置が含まれるのであれば、前記ユーザ機器が、前記ネットワーク側機器から送信される前記オンデマンドシステム情報応答メッセージを、前記第１部分パラメータ配置と前記第２部分パラメータ配置を用いて受信することを含む請求項６に記載の方法。
【請求項１０】
前記ユーザ機器が、前記ネットワーク側機器から送信される前記オンデマンドシステム情報を前記第１スケジューリング情報に基づいて取得することは、さらに、
前記ユーザ機器が、前記ネットワーク側機器から送信される伝送指示を受信することを含み、
ここで、前記伝送指示は、前記第１スケジューリング情報に基づいたシステム情報応答メッセージの送信を指示することに用いられ、
前記ユーザ機器が、前記ネットワーク側機器から送信されるオンデマンドシステム情報応答メッセージを受信することは、
前記ユーザ機器が、前記ネットワーク側機器から送信される前記オンデマンドシステム情報応答メッセージを、前記第１スケジューリング情報に含まれるパラメータ配置を用いて受信することを含む請求項５に記載の方法。
【請求項１１】
前記システム情報応答メッセージには、前記ユーザ機器に必要なオンデマンドシステム情報のすべてまたは一部が含まれないのであれば、前記ユーザ機器が、オンデマンドシステム情報要求メッセージを再度送信すること、
または、
前記ユーザ機器が、前記オンデマンドシステム情報応答メッセージを事前定義時間または事前設定時間内に受信しなかったのであれば、オンデマンドシステム情報要求メッセージを再度送信することをさらに含み、
前記ユーザ機器が、アップリンク信号とオンデマンドシステム情報とのマッピング関係情報を取得することをさらに含み、
前記ユーザ機器がオンデマンドシステム情報要求メッセージを前記ネットワーク側機器に送信することは、
前記ユーザ機器が、前記ユーザ機器に必要なオンデマンドシステム情報とはマッピング関係が存在する前記アップリンク信号を前記ネットワーク側機器に送信することを含む請求項５に記載の方法。
【請求項１２】
前記ユーザ機器が、前記ネットワーク側機器によるオンデマンドシステム情報提供の指示情報を前記ネットワーク側機器から受信することと、
前記ユーザ機器が、前記ユーザ機器に必要なオンデマンドシステム情報を要求することに用いられるオンデマンドシステム情報要求メッセージを、前記指示情報に基づいて前記ネットワーク側機器に送信することとをさらに含み、
前記ユーザ機器が、ネットワーク側機器から送信されるオンデマンドシステム情報の第１スケジューリング情報を受信することは、
前記ユーザ機器が、ネットワーク側機器から送信される前記ユーザ機器に必要なオンデマンドシステム情報の第１スケジューリング情報を受信することを含み、
前記ユーザ機器が、前記ネットワーク側機器から送信される前記オンデマンドシステム情報を前記第１スケジューリング情報に基づいて取得することは、
前記ユーザ機器が、前記ネットワーク側機器から送信されるオンデマンドシステム情報応答メッセージを、前記第１スケジューリング情報に含まれるパラメータ配置を用いて受信することを含み、
前記指示情報は、前記ネットワーク側機器からオンデマンドシステム情報が提供されるかを指示することに用いられ、
または、
前記指示情報は、前記ネットワーク側機器から提供される前記オンデマンドシステム情報のシステム情報リストを含み、
前記ユーザ機器が、オンデマンドシステム情報要求メッセージを前記指示情報に基づいて前記ネットワーク側機器に送信することは、
前記指示情報によって、前記ネットワーク側機器からオンデマンドシステム情報が提供されると指示するのであれば、前記ユーザ機器が、前記オンデマンドシステム情報要求メッセージを前記ネットワーク側機器に送信すること、
または、
システム情報リストに指示されるオンデマンドシステム情報には、前記ユーザ機器に必要なオンデマンドシステム情報が含まれるのであれば、前記ユーザ機器が、前記オンデマンドシステム情報要求メッセージを前記ネットワーク側機器に送信することを含む請求項１〜３のいずれか一項に記載の方法。
【請求項１３】
ネットワーク側機器が、ユーザ機器にオンデマンドシステム情報の第１スケジューリング情報を送信することと、
前記ネットワーク側機器が、前記ユーザ機器に前記オンデマンドシステム情報を送信することとを含むシステム情報取得方法。
【請求項１４】
ネットワーク側機器から送信されるオンデマンドシステム情報の第１スケジューリング情報を受信することに用いられる第１受信モジュールと、
前記ネットワーク側機器から送信される前記オンデマンドシステム情報を、前記第１スケジューリング情報に基づいて取得することに用いられる第１取得モジュールとを含むユーザ機器。
【請求項１５】
ユーザ機器にオンデマンドシステム情報の第１スケジューリング情報を送信することに用いられる第１送信モジュールと、
前記ユーザ機器に前記オンデマンドシステム情報を送信することに用いられる第２送信モジュールとを含むネットワーク側機器。
【国際調査報告】
2019533375.tif 000031
2019533375.tif 000032
2019533375.tif 000033
2019533375.tif 000034